(57)【要約】  本開示は、能力制御方法、端末及びネットワーク側のネットワーク要素を提供する。前記能力制御方法は、所定の条件が満たされたか否かを決定することと、ここで、前記所定の条件は、端末能力変更、端末位置変更、端末内のカード削除、端末内のカード新規追加、及び位置変更後の端末による能力シグナリング最適化の非対応の少なくとも１つを含み、前記所定の条件が満たされると、端末能力の第１関連操作を実行することとを含む。【選択図】  図１
2021532680.tif 000002
【特許請求の範囲】
【請求項１】
通信機器に応用される能力制御方法であって、
所定の条件が満たされたか否かを決定することと、
前記所定の条件が満たされると、端末能力の第１関連操作を実行することと、を含み、
前記所定の条件は、端末能力変更、端末位置変更、端末内のカード削除、端末内のカード新規追加、及び位置変更後の端末による能力シグナリング最適化の非対応の少なくとも１つを含む、
能力制御方法。
【請求項２】
前記の端末能力の第１関連操作を実行することは、
端末能力識別子情報に対する操作、及び第１情報の送信の少なくとも１つを含み、
前記第１情報は、端末能力変更情報、端末位置変更情報、端末能力情報、端末能力識別子情報の指示情報、及び端末能力識別子情報の操作情報の少なくとも１つを含む、請求項１に記載の能力制御方法。
【請求項３】
前記の端末能力識別子情報に対する操作は、
前記端末能力識別子情報を更新すること、前記端末能力識別子情報を削除すること、及び前記端末能力識別子情報を無効に設定することの少なくとも１つを含む、請求項２に記載の能力制御方法。
【請求項４】
前記の前記端末能力識別子情報を更新することは、
第１能力識別子情報を第２能力識別子情報に更新することを含み、
前記第１能力識別子情報は、更新前端末能力からマッピングする能力識別子情報であり、前記第２能力識別子情報は、更新後端末能力からマッピングする能力識別子情報である、請求項３に記載の能力制御方法。
【請求項５】
前記端末能力識別子情報の指示情報は、
端末能力識別子が失効したかの指示情報、端末能力識別子を削除するかの指示情報、端末能力識別子を一時停止するかの指示情報、端末能力識別子を復元するかの指示情報、端末能力識別子の更新を要求するかの指示情報、及び端末能力識別子の割り当てを要求するかの指示情報の少なくとも１つを含む、請求項２に記載の能力制御方法。
【請求項６】
前記端末能力識別子情報の操作情報は、
終了した能力識別子情報、失効した能力識別子情報、削除した能力識別子情報、一時停止した能力識別子情報、新規追加した能力識別子情報、及び復元した能力識別子情報の少なくとも１つを含む、請求項２に記載の能力制御方法。
【請求項７】
前記端末位置変更情報は、
端末位置が変更するか否かの指示情報と、第１端末の識別子と、第２端末の識別子とを含む、請求項２に記載の能力制御方法。
【請求項８】
前記端末能力変更情報は、
能力変更指示情報、能力変更種別情報、能力変数情報、第１能力識別子情報、及び第２能力識別子情報の少なくとも１つを含む、請求項２に記載の能力制御方法。
【請求項９】
前記能力変数情報は、
能力変数の能力識別子情報、変更が発生する能力の能力情報、新規追加能力の能力情報、終了能力の能力情報、変更前能力の能力識別子情報、変更後能力の能力識別子情報、新規追加能力の能力識別子情報、及び終了能力の能力識別子情報の少なくとも１つを含む、請求項８に記載の能力制御方法。
【請求項１０】
通信機器に応用される能力制御方法であって、
能力変数を取得する要求情報を受信することと、
前記の能力変数を取得する要求情報に基づいて、能力変数情報を送信することと、を含む、能力制御方法。
【請求項１１】
前記の能力変数を取得する要求情報は、
第１能力識別子情報、第２能力識別子情報、能力変数の能力情報を取得するか否かの指示情報、能力変数の能力識別子情報を取得するか否かの指示情報、及び能力変数の種別情報の少なくとも１つを含む、請求項１０に記載の能力制御方法。
【請求項１２】
前記能力変数情報は、
能力変数の能力識別子情報、変更が発生する能力情報、新規追加の能力情報、終了の能力情報、変更前能力の能力識別子情報、変更後能力の能力識別子情報、新規追加能力の能力識別子情報、及び終了能力の能力識別子情報の少なくとも１つを含む、請求項１０に記載の能力制御方法。
【請求項１３】
ネットワーク側のネットワーク要素に応用される能力制御方法であって、
第１情報を取得することと、
前記第１情報に基づいて、端末能力の第２関連操作を実行することと、を含み、
前記第１情報は、端末能力変更情報、端末位置変更情報、端末能力情報、端末能力識別子情報の指示情報、及び端末能力識別子情報の操作情報の少なくとも１つを含む、能力制御方法。
【請求項１４】
前記端末能力識別子情報は、
端末機種情報、能力指示補助情報、能力識別子適用範囲情報、及び端末能力識別子の少なくとも１つを含む、請求項１３に記載の能力制御方法。
【請求項１５】
前記端末能力識別子情報の指示情報は、
端末能力識別子が失効したかの指示情報、端末能力識別子を削除するかの指示情報、端末能力識別子を一時停止するかの指示情報、端末能力識別子を復元するかの指示情報、端末能力識別子の更新を要求するかの指示情報、及び端末能力識別子の割り当てを要求するかの指示情報の少なくとも１つを含む、請求項１３に記載の能力制御方法。
【請求項１６】
前記端末能力識別子情報の操作情報は、
終了した能力識別子情報、失効した能力識別子情報、削除した能力識別子情報、一時停止した能力識別子情報、新規追加した能力識別子情報、及び復元した能力識別子情報の少なくとも１つを含む、請求項１３に記載の能力制御方法。
【請求項１７】
前記端末能力変更情報は、
能力変更指示情報、能力変更種別情報、能力変数情報、第１能力識別子情報、及び第２能力識別子情報の少なくとも１つを含む、請求項１３に記載の能力制御方法。
【請求項１８】
前記能力変数情報は、
能力変数の能力識別子情報、変更が発生する能力情報、新規追加の能力情報、終了の能力情報、変更前能力の能力識別子情報、変更後能力の能力識別子情報、新規追加能力の能力識別子情報、及び終了能力の能力識別子情報の少なくとも１つを含む、請求項１７に記載の能力制御方法。
【請求項１９】
前記能力情報は、
能力の種別情報を含む、請求項１８に記載の能力制御方法。
【請求項２０】
前記能力の種別情報は、
能力のネットワーク種別情報、能力のサービスネットワーク情報、能力のカードスロット情報、及び能力のカード情報の少なくとも１つを含む、請求項１９に記載の能力制御方法。
【請求項２１】
前記の端末能力の第２関連操作を実行することは、
端末能力識別子情報の更新、端末能力識別子情報の削除又は一時停止、新規追加の端末能力識別子情報の保存、端末能力識別子情報の復元、更新済みの端末能力に対する能力識別子情報の割り当て、能力変数に対する能力識別子情報の割り当て、前記第１情報の保存、第１目標側への前記第１情報の送信、端末能力の導出又はマッピング、端末能力の更新、端末コンテキストの第１能力識別子情報から第２能力識別子情報への更新、端末能力を取得する要求情報の第２目標側への送信、及び、端末変数を取得する要求情報の第３目標側への送信の少なくとも１つを含む、請求項１３に記載の能力制御方法。
【請求項２２】
前記の端末能力識別子情報の更新は、
端末能力識別子情報の指示情報、及び端末能力識別子情報の操作情報の少なくとも１つに基づいて、前記端末能力識別子情報を更新することを含み、
及び／又は、
前記の端末能力識別子情報の削除又は一時停止は、
端末能力識別子失効の指示情報、端末能力識別子削除の指示情報、失効した能力識別子情報、削除された能力識別子情報、端末位置変更情報、及び端末能力変更情報の少なくとも１つに基づいて、前記端末能力識別子情報を削除又は一時停止することを含み、
及び／又は、
前記の端末能力識別子情報の復元は、
端末能力識別子復元の指示情報、端末位置変更情報、及び端末能力変更情報の少なくとも１つに基づいて、端末の能力識別子情報を復元することを含み、
及び／又は、
前記の端末能力の導出又はマッピングは、
第２能力識別子情報、端末能力識別子情報の指示情報、及び端末能力識別子情報の操作情報の少なくとも１つに基づいて、前記端末能力を導出又はマッピングすることを含み、
及び／又は、
前記の端末能力の更新は、
能力変数情報、及び第２能力識別子情報からマッピングする端末能力の少なくとも１つに基づいて、前記端末の能力を更新することを含む、請求項２１に記載の能力制御方法。
【請求項２３】
ネットワーク側のネットワーク要素に応用される能力制御方法であって、
第２情報を取得することと、
前記第２情報に基づいて、端末能力の第３関連操作を実行することと、を含み、
前記第２情報は、端末による能力シグナリング最適化の非対応の指示情報、登録解除要求情報、及び登録要求情報の少なくとも１つを含む、能力制御方法。
【請求項２４】
前記の第２情報を取得することは、
端末位置変更、及び能力シグナリング最適化の指示情報の未受信の少なくとも１つに基づいて、端末による能力シグナリング最適化の非対応の指示情報を取得することを含む、請求項２３に記載の能力制御方法。
【請求項２５】
端末能力の第３関連操作を実行することは、
端末の能力シグナリング最適化能力の更新、端末能力識別子情報の削除又は一時停止、前記第２情報の第４目標側への送信、及び端末能力を取得する要求情報の第５目標側への送信の少なくとも１つを含む、請求項２３に記載の能力制御方法。
【請求項２６】
所定の条件が満たされたか否かを決定する決定モジュールと、
前記所定の条件が満たされると、端末能力の第１関連操作を実行する第１実行モジュールと、を含み、
前記所定の条件は、端末能力変更、端末位置変更、端末内のカード削除、端末内のカード新規追加、及び位置変更後の端末による能力シグナリング最適化の非対応の少なくとも１つを含む、通信機器。
【請求項２７】
能力変数を取得する要求情報を受信する受信モジュールと、
前記能力変数を取得する要求情報に基づいて、能力変数情報を送信する送信モジュールと、を含む、通信機器。
【請求項２８】
第１情報を取得する第１取得モジュールと、
前記第１情報に基づいて、端末能力の第２関連操作を実行する第２実行モジュールと、を含み、
前記第１情報は、端末能力変更情報、端末位置変更情報、端末能力情報、端末能力識別子情報の指示情報、及び端末能力識別子情報の操作情報の少なくとも１つを含む、ネットワーク側のネットワーク要素。
【請求項２９】
第２情報を取得する第２取得モジュールと、
前記第２情報に基づいて、端末能力の第３関連操作を実行する第３実行モジュールと、を含み、
ここで、前記第２情報は、端末による能力シグナリング最適化の非対応の指示情報、登録解除要求情報、及び登録要求情報の少なくとも１つを含む、ネットワーク側のネットワーク要素。
【請求項３０】
メモリと、プロセッサと、前記メモリに格納されて前記プロセッサで実行可能なコンピュータプログラムとを含む通信機器であって、
前記コンピュータプログラムが前記プロセッサによって実行されると、請求項１〜２５のいずれか１項に記載の能力制御方法が実現される、通信機器。
【請求項３１】
コンピュータプログラムが格納されているコンピュータ読み取り可能な記憶媒体であって、
前記コンピュータプログラムがプロセッサによって実行されると、請求項１〜２５のいずれか１項に記載の能力制御方法が実現される、コンピュータ読み取り可能な記憶媒体。
【発明の詳細な説明】
【技術分野】
【０００１】
（関連出願の相互参照）
本願は、２０１８年８月３日に中国に提出された中国特許出願２０１８１０８７９８４６．５の優先権を主張し、その全ての内容が援用によりここに取り込まれる。
本開示は、通信技術分野に係り、特に能力制御方法、端末及びネットワーク側のネットワーク要素に係る。
【背景技術】
【０００２】
ネットワーク技術の発展に伴い、端末がサポートすべき能力がますます多くなると共に、端末からネットワークに報告すべき能力もますます多くなっている。従って、端末能力の報告による無線インタフェース負荷がますます大きくなり、端末能力の更新が生じる可能性がある。
【０００３】
しかしながら、端末能力変更時の報告をいかに最適化するかについては、現時点では明確な定論がない。
【発明の概要】
【発明が解決しようとする課題】
【０００４】
本開示の実施例は、端末能力変更時の報告の最適化が明確化されていないという問題を解決するために、能力制御方法、端末及びネットワーク側のネットワーク要素を提供する。
【課題を解決するための手段】
【０００５】
第１態様として、本開示の実施例による、端末に応用される能力制御方法は、
所定の条件が満たされたか否かを決定することと、
ここで、前記所定の条件は、端末能力変更、端末位置変更、端末内のカード削除、端末内のカード新規追加、及び位置変更後の端末による能力シグナリング最適化の非対応の少なくとも１つを含み、
前記所定の条件が満たされると、端末能力の第１関連操作を実行することと、を含む。
【０００６】
第２態様として、本開示の実施例による、端末に応用される能力制御方法は、
能力変数を取得する要求情報を受信することと、
前記能力変数を取得する要求情報に基づいて、能力変数情報を送信することと、を含む。
【０００７】
第３態様として、本開示の実施例による、ネットワーク側のネットワーク要素に応用される能力制御方法は、
第１情報を取得することと、
ここで、前記第１情報は、端末能力変更情報、端末位置変更情報、端末能力情報、端末能力識別子情報の指示情報、及び端末能力識別子情報の操作情報の少なくとも１つを含み、
前記第１情報に基づいて、端末能力の第２関連操作を実行することと、を含む。
【０００８】
第４態様として、本開示の実施例による、ネットワーク側のネットワーク要素に応用される能力制御方法は、
第２情報を取得することと、
ここで、前記第２情報は、端末による能力シグナリング最適化の非対応の指示情報、登録解除要求情報、及び登録要求情報の少なくとも１つを含み、
前記第２情報に基づいて、端末能力の第３関連操作を実行することと、を含む。
【０００９】
第５態様として、本開示の実施例による通信機器は、
所定の条件が満たされたか否かを決定する決定モジュールと、
ここで、前記所定の条件は、端末能力変更、端末位置変更、及び位置変更後の端末による能力シグナリング最適化の非対応の少なくとも１つを含み、
前記所定の条件が満たされると、端末能力の第１関連操作を実行する第１実行モジュールと、を含む。
【００１０】
第６態様として、本開示の実施例による通信機器は、
能力変数を取得する要求情報を受信する受信モジュールと、
前記能力変数を取得する要求情報に基づいて、能力変数情報を送信する送信モジュールと、を含む。
【００１１】
第７態様として、本開示の実施例による、ネットワーク側のネットワーク要素は、
第１情報を取得する第１取得モジュールと、
ここで、前記第１情報は、端末能力変更情報、端末位置変更情報、端末能力情報、端末能力識別子情報の指示情報、及び端末能力識別子情報の操作情報の少なくとも１つを含み、
前記第１情報に基づいて、端末能力の第２関連操作を実行する第２実行モジュールと、を含む。
【００１２】
第８態様として、本開示の実施例による、ネットワーク側のネットワーク要素は、
第２情報を取得する第２取得モジュールと、
ここで、前記第２情報は、端末による能力シグナリング最適化の非対応の指示情報、登録解除要求情報、及び登録要求情報の少なくとも１つを含み、
前記第２情報に基づいて、端末能力の第３関連操作を実行する第３実行モジュールと、を含む。
【００１３】
第９態様として、本開示の実施例による、メモリと、プロセッサと、前記メモリに格納されて前記プロセッサで実行可能なコンピュータプログラムとを含む通信機器は、
前記コンピュータプログラムが前記プロセッサによって実行されると、上記端末に応用される能力制御方法、又は上記ネットワーク側のネットワーク要素に応用される能力制御方法が実現される。
選択可能で、該通信機器は、端末又はネットワーク側のネットワーク要素である。
【００１４】
第１０態様として、本開示の実施例による、コンピュータプログラムが格納されているコンピュータ読み取り可能な記憶媒体は、
前記コンピュータプログラムがプロセッサによって実行されると、上記端末に応用される能力制御方法、又は上記ネットワーク側のネットワーク要素に応用される能力制御方法が実現される。
【発明の効果】
【００１５】
本開示の実施例において、端末能力更新の際に、端末能力の報告を最適化する効果を達成することができるため、能力報告シグナリングを節約すると共に、同一端末が異なる条件で異なる端末能力に対応するニーズを満たすこともできる。
【００１６】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００１７】
【図１】本開示の実施例に係る能力制御方法のフローチャートその１である。
【図２】本開示の実施例に係る能力制御方法のフローチャートその２である。
【図３】本開示の実施例に係る能力制御方法のフローチャートその３である。
【図４】本開示の実施例に係る能力制御方法のフローチャートその４である。
【図５】本開示の実施例に係る第１情報送信のフローチャートその１である。
【図６】本開示の実施例に係る第１情報送信のフローチャートその２である。
【図７】本開示の実施例に係る第１情報送信のフローチャートその３である。
【図８】本開示の実施例に係る第１情報送信のフローチャートその４である。
【図９】本開示の実施例に係る能力識別子情報の削除を要求するフローチャートである。
【図１０】本開示の実施例に係る能力識別子情報の追加を要求するフローチャートである。
【図１１】本開示の実施例に係る端末位置変更プロセスのフローチャートその１である。
【図１２】本開示の実施例に係る端末位置変更プロセスのフローチャートその２である。
【図１３】本開示の実施例に係るシグナリング最適化能力変更プロセスのフローチャートである。
【図１４】本開示の実施例に係る端末の構造図その１である。
【図１５】本開示の実施例に係る端末の構造図その２である。
【図１６】本開示の実施例に係るネットワーク側のネットワーク要素の構造図その１である。
【図１７】本開示の実施例に係るネットワーク側のネットワーク要素の構造図その２である。
【図１８】本開示の実施例に係る端末の構造図その３である。
【図１９】本開示の実施例に係るネットワーク側のネットワーク要素の構造図その３である。
【発明を実施するための形態】
【００１８】
まず、端末の能力は、無線能力とコアネットワーク能力の２種類に分けられる。無線能力については、端末は、ネットワークの要求に応じて端末の無線能力を報告する。コアネットワーク能力については、端末は、登録時に端末のネットワーク能力を報告する。
【００１９】
端末は、複数の周波数帯（Ｂａｎｄ）及び周波数（ｆｒｅｑｕｅｎｃｙ）をサポートする。キャリアアグリゲーションＣＡ（Ｃａｒｒｉｅｒ  Ａｇｇｒｅｇａｔｉｏｎ）及びデュアルコネクティビティＤＣ（Ｄｕａｌ  Ｃｏｎｎｅｃｔｉｖｉｔｙ）などの技術の導入に伴い、様々な可能な周波数帯の組み合わせを並べて組み合わせる必要があり、各端末メーカがサポートする周波数帯の組み合わせがそれぞれ異なる可能性もあり、無線能力がとりわけ膨大となる。更に、ネットワークの進化に伴い、ネットワークに多くの特性が導入され、異なる特性は、異なる無線能力及びネットワーク能力を必要とすることが多い。関連するネットワーク特性について、端末は、サポートするか否かの情報をネットワークに通知する必要がある。
【００２０】
一般に、出荷される端末は、国際移動体装置識別子番号ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）などの装置識別子情報を有する。国際移動体装置識別子番号ＩＭＥＩには、タイプ割り当てコードＴＡＣ（Ｔｙｐｅ  Ａｌｌｏｃａｔｉｏｎ  Ｃｏｄｅ）が含まれる。該タイプ割り当てコードＴＡＣは、通常８桁（初期には６桁）の数字からなり、端末のブランド及び機種を区別するコードである。該タイプ割り当てコードＴＡＣは、ＧＳＭＡ及びその認可機関によって割り当てられる。該タイプ割り当てコードＴＡＣの最初の２桁は、割り当て機構識別子（Ｒｅｐｏｒｔｉｎｇ  Ｂｏｄｙ  Ｉｄｅｎｔｉｆｉｅｒ）とも呼ばれ、国際移動体装置識別子番号ＩＭＥＩ割り当てを許可する機構のコードであり、例えば、０１は、米国ＣＴＩＡであり、３５は、英国ＢＡＢＴであり、８６は、中国ＴＡＦである。タイプ割り当てコードＴＡＣにより、同一端末機種を一意に識別する。同一端末機種の端末能力は、同じであることが多い。
【００２１】
国際移動体装置識別子番号ＩＭＥＩには、ソフトウェアバージョン番号ＳＶＮ（Ｓｏｆｔｗａｒｅ  Ｖｅｒｓｉｏｎ  Ｎｕｍｂｅｒ）も含まれる。該ソフトウェアバージョン番号ＳＶＮは、同型の端末が出荷されるときに使用される異なるソフトウェアバージョンを区別する。ソフトウェアバージョン番号ＳＶＮは、一部のブランドの一部の機種にのみ存在する。異なるソフトウェアバージョン番号ＳＶＮは、異なる端末能力に対応する。
【００２２】
端末能力の報告によるオーバーヘッドを減らすために、端末能力を指示可能な識別子情報を端末に設定する。１つの端末による能力シグナリング最適化の方法は、端末能力を指示する識別子情報のみを端末からネットワークに報告することである。ネットワークは、端末能力を指示する識別子情報をマッピングすることにより端末能力を得る。端末能力識別子情報は、端末能力を指示する能力識別子情報である。
【００２３】
実際のニーズの変化により、端末能力は、更新される可能性がある。更新シナリオは、以下の通りである。
【００２４】
シナリオ１：出荷時に、端末の多くの能力がオフ状態にある可能性があり、その後のソフトウェアのアップデートの際に、ＶｏＬＴＥ能力、一部のｂａｎｄ能力などのいくつかの能力をオンにする。この場合、端末能力は、一括アップグレードされる。ＶｏＬＴＥなどの特性の能力のサイズ（ｓｉｚｅ）は、制御可能であるが、ｂａｎｄの能力変更は、ＣＡ又はＤＣの能力変更につながり、変更する能力のサイズが大きい可能性がある。
【００２５】
シナリオ１について、現在、端末のＴＶＮは、出荷後に変更されることはない。後続のソフトウェアのアップデートでは、一部の能力をオンにして、端末メーカは、ソフトウェアバージョン番号ＳＶＮを変更する可能性があり、ソフトウェアバージョン番号ＳＶＮを変更しない可能性もある。このため、ネットワークは、端末の能力が変更されたか否かを、端末のソフトウェアバージョン番号ＳＶＮから直接知ることができない。ネットワークから能力識別子情報を割り当てるシナリオについては、変更を知っても、ネットワークは、端末の完全な無線能力を必要とし、その無線能力に対応する能力識別子情報が既に存在しているか否かを確認し、新たな能力を割り当てる必要があるか否かを問い合わせる。これは、バックグランド実現にとって大きな作業量である。
【００２６】
シナリオ２：同一機種の異なる端末で、一方の端末は、データ優先（ｄａｔａ  ｃｅｎｔｒｉｃ）であり、４Ｇネットワークにアクセスすると、５Ｇネットワーク能力をオンにするが、他方の端末は、音声優先（ｖｏｉｃｅ  ｃｅｎｔｒｉｃ）であり、５Ｇネットワークの音声非対応が確認できた場合に５Ｇネットワーク能力をオフにする可能性がある。５Ｇネットワーク能力をオフにした後、端末は、ネットワークに対して位置更新を開始し、新たなネットワーク能力を指示する。
【００２７】
本開示の実施例において、端末能力の識別子情報（単に端末能力識別子情報という）は、端末能力を識別する。端末能力識別子情報と端末能力情報との間にはマッピングの関係があり、端末能力識別子情報をマッピングして端末能力を得る。端末能力識別子情報をマッピングすることによって、１つのグループの端末能力又は完全な端末能力を得る。端末能力識別子情報のサイズは、端末能力よりも小さいので、能力シグナリング最適化を軽減するという効果を達成することができる。
【００２８】
選択可能で、１の端末は、１つ又は複数の端末能力識別子情報を有する。
【００２９】
本開示の実施例において、サービスネットワークは、端末にアクセスを提供するネットワークであり、オペレータのネットワーク又は専用ネットワークであり、公衆通信ネットワークであってもよいし、プライベート通信ネットワークであってもよい。選択可能で、サービスネットワークの識別子は、ＰＬＭＮ又は他の識別子（例えば、プライベート通信ネットワーク自体によって構成される識別子）である。
【００３０】
本開示の実施例において、ネットワークの種類は、通信ネットワークの種類、無線アクセス技術の種類、無線アクセスネットワークの種類及びネットワークの年代の少なくとも１つを含むが、それらに限られない。
【００３１】
選択可能で、通信ネットワークの種類としては、ＧＳＭ、ＥＤＧＥ、ＧＰＲＳ、ＧＳＭ−ＣＳ、ＧＳＭ−ＰＳ、ＣＳ、ＰＳ、ＣＤＭＡ、３ＧＰＰ２  １ｘＣＳ、ＥＰＳ、５ＧＳの少なくとも１つを含むが、それらに限られない。
【００３２】
選択可能で、無線アクセス技術の種類は、ＧＥＲＡＮ、ＧＥＲＡＮ−ＣＳ、ＧＥＲＡＮ−ＰＳ、ＥＤＧＥ、ＵＴＲＡ、ＴＤ−ＳＣＤＭＡ、ＷＣＤＭＡ、ＨＳＰＡ、ＣＤＭＡ、ＣＤＭＡ２０００、３ＧＰＰ２  １ｘＣＳ、ｃｄｍａ２０００−１ＸＲＴＴ、ＥＵＴＲＡ、ＬＴＥ  ＦＤＤ、ＬＴＥ  ＴＤＤ、３ＧＰＰ、Ｎ３ＧＰＰ、３ＧＰＰ２、ＷＬＡＮ、ＮＢ  ＩＯＴ、ＮＧ  ＲＡＮ、ＥＵＴＲＡ−ＮＲ及びＮＲの少なくとも１つを含むが、それらに限られない。
【００３３】
選択可能で、無線アクセスネットワークの種類としては、ＧＥＲＡＮ、ＧＥＲＡＮ−ＣＳ、ＧＥＲＡＮ−ＰＳ、ＥＤＧＥ、ＵＴＲＡＮ、ＴＤ−ＳＣＤＭＡ、ＷＣＤＭＡ、ＨＳＰＡ、ＣＤＭＡ、ＣＤＭＡ２０００、３ＧＰＰ２  １ｘＣＳ、ｃｄｍａ２０００−１ＸＲＴＴ、ＥＵＴＲＡＮ、ＬＴＥ  ＦＤＤ、ＬＴＥ  ＴＤＤ、３ＧＰＰ、Ｎ３ＧＰＰ、３ＧＰＰ２、ＷＬＡＮ、ＮＢ  ＩＯＴ、ＮＧ  ＲＡＮ、ＥＵＴＲＡ−ＮＲ及びＮＲの少なくとも１つを含むが、それらに限られない。
【００３４】
選択可能で、ネットワークの年代は、２Ｇネットワーク、３Ｇネットワーク、４Ｇネットワーク、５Ｇネットワークの少なくとも１つを含むが、それらに限られない。
【００３５】
本開示の実施例において、端末能力は、端末のコアネットワーク能力と端末の無線能力の少なくとも１つを含む。端末のコアネットワーク能力は、端末のネットワーク能力、非アクセス網（ＮＡＳ）能力と呼ばれてもよい。
【００３６】
選択可能で、端末の無線能力は、キャリアアグリゲーションＣＡ能力及びデュアルコネクティビティＤＣ能力の少なくとも１つを含む。
【００３７】
選択可能で、端末のコアネットワーク能力は、５Ｇセッション管理能力、５Ｇ移動性管理能力、ユーザ端末ネットワーク能力（ＵＥ  Ｎｅｔｗｏｒｋ  ｃａｐａｂｉｌｉｔｙ）及び移動局ネットワーク能力（ＭＳ  Ｎｅｔｗｏｒｋ  ｃａｐａｂｉｌｉｔｙ）などの少なくとも１つを含む。
【００３８】
選択可能で、端末のコアネットワーク能力は、５Ｇネットワーク能力、４Ｇネットワーク能力（例えばＵＥ  Ｎｅｔｗｏｒｋ  ｃａｐａｂｉｌｉｔｙ）及び３Ｇネットワーク能力（例えばＭＳ  Ｎｅｔｗｏｒｋ  ｃａｐａｂｉｌｉｔｙ）などの少なくとも１つを含む。
【００３９】
本開示の実施例において、「能力」と「端末能力」とは、同一の意味を示すものであり、混用されてもよい。
【００４０】
本開示の実施例において、端末能力コンテキストは、端末能力の記述情報とも呼ばれ、具体的な能力を記述するために使用される。
【００４１】
本開示の実施例において、一実施形態では、能力変数は、変更後の端末能力と変更前の端末能力との能力間の差異を示す。別の実施形態では、能力変数は、更新が発生する能力である。
【００４２】
本開示の実施例において、「能力識別子情報」、「端末能力識別子情報」及び「端末能力の識別子情報」は、同一の意味を示すものであり、混用されてもよい。
【００４３】
本開示の実施例において、「無効」は、以下の「利用不可能」、「一時停止」の１つとして具現化される。無効な能力識別子情報は、一時停止の能力識別子情報、及び利用不可能な能力識別子情報の少なくとも１つとして表現される。
【００４４】
本開示の実施例において、「カード」は、ＵＩＣＣ、ＳＩＭ、ｅＳＩＭ、ｅＵＩＣＣのいずれかであり、これらに限定されない。カードは、物理的カードであってもよい。更に、第Ｎカードは、サービスネットワークのカードを第Ｎカードスロットに装着することを示してもよい。メインカードは、サービスネットワークのカードをメインカードスロットに装着することを示し、サブカードは、サービスネットワークのカードをメインカードスロットに装着することを示す。カード位置情報は、カードスロット情報とも呼ぶ。
【００４５】
カードは、電子カードでもよい。サービスネットワークは、端末に対して複数のカードを構成することができる。
【００４６】
本開示の実施例において、端末内のカード新規追加は、カードを端末機器に差し込むこと、カード情報を端末機器に書き込むことのいずれかであり、それらに限られない。
【００４７】
本開示の実施例において、端末内のカード削除は、カードを端末機器から取り出すこと、端末機器内のカード情報を削除することのいずれかであり、それに限られない。
【００４８】
本開示の実施例において、端末能力識別子情報の適用範囲情報は、端末能力識別子情報の適用条件情報、及び端末能力識別子情報の種別情報の少なくとも１つとして具現化される。
【００４９】
本開示の実施例において、端末能力シグナリング最適化は、無線能力シグナリング最適化及び非アクセス層能力シグナリング最適化を含む。選択可能で、無線能力シグナリング最適化は、ｏｐｔｉｍｉｚａｔｉｏｎｓ  ｏｎ  ＵＥ  ｒａｄｉｏ  ｃａｐａｂｉｌｉｔｙ  ｓｉｇｎａｌｉｎｇ、略してＲＡＣＳと呼ばれる。しかしながら、標準組織は、他の名称を有する場合があるが、本開示の実施例は、名称によって影響されない。
【００５０】
本開示の実施例において、選択可能で、能力シグナリング最適化の対応可否は、能力シグナリング最適化の能力を有するかともされる。
【００５１】
選択可能で、能力シグナリング最適化の対応は、能力シグナリング最適化を可能にすること、能力シグナリング最適化の能力を有すること、能力シグナリング最適化をオンにすることともされる。
【００５２】
選択可能で、能力シグナリング最適化の非対応は、能力シグナリング最適化を不可能にすること、能力シグナリング最適化の能力を有しないこと、能力シグナリング最適化をオフにすることともされる。
【００５３】
選択可能で、取得は、構成から取得すること、受信によって取得すること、要求してから受信して取得すること、自己学習で取得すること、受信しなかった情報から導出すること、又は、受信した情報に基づいて処理して取得することと理解してもよいが、具体的には実際のニーズに応じて決められてもよいので、本開示の実施例ではこれについて限定しない。例えば、機器から送信されたある能力指示情報を受信しなかった場合、該機器が該能力をサポートしないことと導出する。
【００５４】
本開示の実施例において、登録要求は、アタッチ要求、位置更新要求、移動登録要求、初期登録要求の１つを含む。
【００５５】
本開示の実施例において、登録解除要求は、アタッチ解除要求を含む。
【００５６】
本開示の実施例において、新規追加能力は、追加の能力、オフ後に新たにオンにされた能力、サポートされる能力の少なくとも１つを含む。
【００５７】
本開示の実施例において、終了能力は、非対応の能力に変更すること、失効の能力の少なくとも１つを含む。
【００５８】
本開示の実施例において、第１能力識別子情報は、更新前端末能力からマッピングする能力識別子情報であり、第２能力識別子情報は、更新後端末能力からマッピングする能力識別子情報である。
【００５９】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００６０】
本開示の実施例において、ネットワーク要素は、エンティティ機器、ネットワーク機能エンティティ、又はネットワークユニットである。
【００６１】
本開示の実施例において、コアネットワークのネットワーク要素（ＣＮネットワーク要素）は、コアネットワーク機器、コアネットワークノード、コアネットワーク機能、コアネットワークのネットワーク要素、モビリティ管理エンティティＭＭＥ（Ｍｏｂｉｌｉｔｙ  Ｍａｎａｇｅｍｅｎｔ  Ｅｎｔｉｔｙ）、アクセスモビリティ管理機能ＡＭＦ（Ａｃｃｅｓｓ  Ｍａｎａｇｅｍｅｎｔ  Ｆｕｎｃｔｉｏｎ）、セッション管理機能ＳＭＦ（Ｓｅｓｓｉｏｎ  Ｍａｎａｇｅｍｅｎｔ  Ｆｕｎｃｔｉｏｎ）、ユーザプレーン機能ＵＰＦ（Ｕｓｅｒ  Ｐｌａｎｅ  Ｆｕｎｃｔｉｏｎ）、サービングゲートウェイＳＧＷ（ｓｅｒｖｉｎｇ  ＧＷ）、ＰＤＮゲートウェイ（ＰＤＮ  Ｇａｔｅ  Ｗａｙ）、ポリシー制御機能ＰＣＦ（Ｐｏｌｉｃｙ  Ｃｏｎｔｒｏｌ  Ｆｕｎｃｔｉｏｎ）、ポリシー＆課金ルール機能ユニットＰＣＲＦ（Ｐｏｌｉｃｙ  ａｎｄ  Ｃｈａｒｇｉｎｇ  Ｒｕｌｅｓ  Ｆｕｎｃｔｉｏｎ）、ＧＰＲＳサービスサポートノードＳＧＳＮ（Ｓｅｒｖｉｎｇ  ＧＰＲＳ  Ｓｕｐｐｏｒｔ  Ｎｏｄｅ）、ゲートウェイＧＰＲＳサポートノードＧＧＳＮ（Ｇａｔｅｗａｙ  ＧＰＲＳ  Ｓｕｐｐｏｒｔ  Ｎｏｄｅ）及び無線アクセスネットワーク機器の少なくとも１つを含むが、それに限られない。
【００６２】
本開示の実施例において、無線アクセスネットワークのネットワーク要素（ＲＡＮネットワーク要素）は、無線アクセスネットワーク機器、無線アクセスネットワークノード、無線アクセスネットワーク機能、無線アクセスネットワークユニット、３ＧＰＰ無線アクセスネットワーク、非３ＧＰＰ無線アクセスネットワーク、セントラル装置ＣＵ（Ｃｅｎｔｒａｌｉｚｅｄ  Ｕｎｉｔ）、分散装置ＤＵ（Ｄｉｓｔｒｉｂｕｔｅｄ  Ｕｎｉｔ）、基地局、進化型基地局ｅＮＢ（ｅｖｏｌｖｅｄ  Ｎｏｄｅ  Ｂ）、５Ｇ基地局（ｇＮＢ）、無線ネットワークコントローラＲＮＣ（Ｒａｄｉｏ  Ｎｅｔｗｏｒｋ  Ｃｏｎｔｒｏｌｌｅｒ）、基地局（ＮｏｄｅＢ）、非３ＧＰＰインターワーキング機能Ｎ３ＩＷＦ（Ｎｏｎ−３  ＧＰＰ  Ｉｎｔｅｒ  Ｗｏｒｋｉｎｇ  Ｆｕｎｃｔｉｏｎ）、アクセス制御ＡＣ（Ａｃｃｅｓｓ  Ｃｏｎｔｒｏｌｌｅｒ）ノード、アクセスポイントＡＰ（Ａｃｃｅｓｓ  Ｐｏｉｎｔ）機器又は無線ローカルエリアネットワークＷＬＡＮ（Ｗｉｒｅｌｅｓｓ  Ｌｏｃａｌ  Ａｒｅａ  Ｎｅｔｗｏｒｋｓ）ノードの少なくとも１つを含むが、それらに限られない。
【００６３】
基地局は、ＧＳＭ又はＣＤＭＡにおける基地局ＢＴＳ（Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、ＬＴＥにおける発展型基地局ｅＮＢ又はｅ−ＮｏｄｅＢ（ｅｖｏｌｕｔｉｏｎａｌ  Ｎｏｄｅ  Ｂ）及び５Ｇ基地局（ｇＮＢ）であってもよく、本開示の実施例では限定されない。
【００６４】
本開示の実施例において、ネットワーク側ネットワーク要素は、ＣＮネットワーク要素、ＲＡＮネットワーク要素の少なくとも１つを含む。
【００６５】
本開示の実施例において、端末は、端末の機能をサポートするリレーを含む。端末は、端末機器又はユーザ端末ＵＥ（Ｕｓｅｒ  Ｅｑｕｉｐｍｅｎｔ）と呼ばれてもよい。端末は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末ＰＤＡ（Ｐｅｒｓｏｎａｌ  Ｄｉｇｉｔａｌ  Ａｓｓｉｓｔａｎｔ）、モバイルネットワーク装置ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）、又は車載機器などの端末側機器である。なお、本開示の実施例において、端末の具体的なタイプを限定しない。
【００６６】
本開示の実施例において、端末の能力シグナリング最適化能力は、他の端末能力とは独立して定義された能力エレメント（ＩＥ）である。端末は、この能力シグナリング最適化能力を報告し、ネットワークは、この能力シグナリング最適化能力に応じて、能力識別子情報を割り当てるか否か、又は端末から能力識別子情報を取得するか否かを決定する。
【００６７】
図１に示すように、本開示の実施例は、通信機器に応用される能力制御方法を提供する。前記通信機器は、端末、ネットワーク側機器の一方を含む。前記方法は、以下のステップを含む。
【００６８】
ステップ１０１において、所定の条件が満たされたか否かを決定する。
【００６９】
具体的には、端末は、端末能力を有するリレー、端末機器自体、チップ、カード（例えばＳＩＭカード、ＵＩＣＣカード等）の少なくとも１つ又は複数の組み合わせである。本実施例において、端末の応用シナリオを限定しない。
【００７０】
選択可能で、該所定の条件は、端末能力変更、端末位置変更、端末内のカード削除、端末内のカード新規追加、及び位置変更後の端末による能力シグナリング最適化の非対応の少なくとも１つを含む。
【００７１】
一実施形態において、端末は、端末機器とカードとの組み合わせの全体である。なお、端末能力が変更しても、カードの位置は、変更がなくてもよい。
【００７２】
更に、端末位置の変更は、端末内のカードのカードスロットの変更であってもよいし、カードを第１端末機器から第２端末機器に移すことであってもよい。この場合、本開示の実施例の実行主体端末は、カードである。
【００７３】
一実施形態において、カード（例えばＵＩＣＣカード又はＳＩＭカード）の位置は、第１カードスロットから第２カードスロットに変更される。端末がそのカードである場合、そのカードからみて、端末位置が変更される。別の実施形態では、カードは、ある端末から別の端末に移される。端末がそのカードである場合、そのカードからみて、端末位置が変更される。この場合、該カードに対応する端末能力は、変更される可能性もあるし、変更されない可能性もある。なお、端末位置の変更後に、端末は、端末能力識別子をネットワークに再度送信し、又は、ネットワークにおける端末能力識別子情報の失効を指示する。ネットワークは、端末能力の識別子情報を端末に再度要求する。これは、安全かつ信頼性のあるやり方である。
【００７４】
更に、端末内のカード削除は、端末内のカードが取り出されること（例えば物理的カード）、カード情報が削除されること（例えば電子カード）のいずれかである。
【００７５】
更に、端末内のカード新規追加は、カードを端末に差し込むこと、カード情報を新規追加することのいずれかである。
【００７６】
一実施形態では、端末内のカードが削除されると、該端末は、最終的に登録解除要求をネットワークに送信する。この登録解除要求メッセージには、第１情報が含まれる。なお、ネットワークは、該登録解除要求を受信すると、端末コンテキスト内の端末能力の識別子情報を削除する。ネットワークは、端末が再度登録する際に、端末能力の識別子情報を再度取得する。なお、これは、安全かつ信頼性のあるやり方である。
【００７７】
一実施形態では、端末内のカード新規追加の際に、該端末は、登録要求をネットワークに送信する。該登録要求メッセージには、第１情報が含まれ、例えばネットワークにおける端末能力識別子情報の失効を指示する。なお、ネットワークは、該登録解除要求を受信すると、安全かつ信頼性のあるやり方として、既有の端末コンテキスト中の端末能力の識別子情報を削除することである。
【００７８】
ステップ１０２において、所定の条件が満たされると、端末能力の第１関連操作を実行する。
【００７９】
ここで、ステップ１０２で端末能力の第１関連操作を実行することは、端末能力識別子情報に対する操作、及び第１情報の送信の少なくとも１つを含む。
【００８０】
一実施形態では、該端末能力識別子情報は、変更前の端末能力の能力識別子情報である。
【００８１】
選択可能で、該第１情報は、端末能力変更情報、端末位置変更情報、端末能力情報、端末能力識別子情報の指示情報、及び端末能力識別子情報の操作情報の少なくとも１つを含む。
【００８２】
更に、該端末能力識別子情報に対する操作は、具体的には、端末能力識別子情報を更新すること、端末能力識別子情報を削除すること、及び端末能力識別子情報を無効に設定することの少なくとも１つを含む。
【００８３】
更に、端末能力識別子情報を無効に設定することは、端末能力識別子情報を一時停止すること、端末能力識別子情報を利用不可能に設定することの少なくとも１つを含む。
【００８４】
一実施形態では、複数の種類の端末能力の更新が発生し、又は複数の端末能力識別子情報が存在する。一実施形態では、すべて又は一部の端末能力識別子情報を更新する。一実施形態では、すべて又は一部の端末能力識別子情報を削除する。一実施形態では、全て又は一部の端末能力識別子情報を無効に設定する。
【００８５】
更に、前記の端末能力識別子情報を更新することは、第１能力識別子情報を第２能力識別子情報に更新することを含む。
ここで、前記第１能力識別子情報は、更新前端末能力からマッピングする能力識別子情報であり、前記第２能力識別子情報は、更新後端末能力からマッピングする能力識別子情報である。
【００８６】
なお、一実施形態では、第１情報を第１目標側に送信する。該第１目標側は、ＲＡＮネットワーク要素、ＣＮネットワーク要素、アクセスモビリティ管理機能ＡＭＦ、モビリティ管理エンティティＭＭＥ及び能力管理機能ネットワーク要素の少なくとも１つを含むが、それらに限られない。
【００８７】
選択可能で、該端末能力識別子情報は、端末機種情報、能力指示補助情報、能力識別子適用範囲情報、及び端末能力識別子の少なくとも１つを含む。
【００８８】
一実施形態では、端末能力識別子情報は、端末機種情報及び能力指示補助情報を含む。
【００８９】
一実施形態では、端末能力識別子情報は、端末能力識別子を含む。
【００９０】
一実施形態では、端末能力識別子情報は、端末能力識別子及び能力指示補助情報を含む。
【００９１】
一実施形態では、端末能力識別子情報は、端末能力識別子及び能力識別子適用範囲情報を含む。
【００９２】
選択可能で、該端末機種情報は、端末メーカ識別子、タイプ割り当てコード（例えばタイプ割り当てコードＴＡＣ）及びソフトウェアバージョン番号（例えばＳＶＮ）の少なくとも１つを含む。
【００９３】
選択可能で、該能力指示補助情報は、能力対応カードスロット情報、能力対応カード情報（例えば物理的カードのカード情報、電子カードのカード情報）、能力対応サービスネットワーク情報、能力対応ネットワーク種別情報及び能力種別指示情報の少なくとも１つを含む。
【００９４】
更に、能力対応カードスロット情報は、カードスロットの識別子情報、カードスロットのシリアル番号、第１カードスロットの情報、第２カードスロットの情報、メインカードスロット又はサブカードスロットに対応する指示情報、能力がすべてのカードスロットに適用するか否かの指示情報、及び、能力がカードスロットを問わないか否かの指示情報の少なくとも１つを含む。具体的には、第１カードスロットは、端末のメインカードに対応するカードスロットであり、第２カードスロットは、端末のサブカードに対応するカードスロットである。
【００９５】
更に、能力対応カード情報は、カードのサービスネットワークのネットワーク情報、カードのシリアル番号、カードが装着されているカードスロットのシリアル番号、メインカード又はサブカードの指示情報、能力がすべてのカードに適用するか否かの指示情報、能力がカードを問わないか否かの指示情報の少なくとも１つを含む。なお、能力対応カード情報により、端末の該当カードにおける対応する端末能力をネットワークがマッピングするのを支援する。
【００９６】
更に、能力対応サービスネットワーク情報は、サービスネットワークのネットワーク識別子情報、能力が全てのサービスネットワークに適用するか否かの指示情報、能力がサービスネットワークを問わないか否かの指示情報の少なくとも１つを含む。更に、ネットワーク識別子情報は、公衆通信ネットワークの識別子（例えばＰＬＭＮ）、プライベート通信ネットワークの識別子（例えばＴｙｐｅＡネットワーク識別子、ＴｙｐｅＢネットワーク識別子）を含む。
【００９７】
更に、能力対応ネットワーク種別情報は、ネットワークの種別、能力が全てのネットワーク種別に適用するか否かの指示情報、能力がネットワーク種別を問わないか否かの指示情報の少なくとも１つを含む。ここで、ネットワーク種別情報は、端末が現在サポートしているネットワーク種別の能力を指示し、又は、端末がサポートしていないネットワーク種別の能力を指示する。
【００９８】
選択可能で、該端末能力識別子情報の指示情報は、端末能力識別子が失効したかの指示情報、端末能力識別子を削除するかの指示情報、端末能力識別子を一時停止するかの指示情報、端末能力識別子を復元するかの指示情報、端末能力識別子の更新を要求するかの指示情報、及び端末能力識別子の割り当てを要求するかの指示情報の少なくとも１つを含む。
【００９９】
なお、この端末能力識別子情報の指示情報は、端末のすべての能力識別子情報の指示に適用する。同一端末は、１つ又は複数の能力識別子情報を有する。例えば、端末能力識別子が失効したかの指示情報は、端末能力識別子の失効を指示する場合、端末コンテキスト内の全ての能力識別子情報を第１目標側が削除又は一時停止するのを支援する。
【０１００】
選択可能で、該端末能力識別子情報の操作情報は、終了した能力識別子情報、失効した能力識別子情報、削除した能力識別子情報、一時停止した能力識別子情報、新規追加した能力識別子情報、及び復元した能力識別子情報の少なくとも１つを含む。
【０１０１】
なお、同一端末は、１つ又は複数の能力識別子情報を有する。一実施態様では、一部の能力識別子情報のみに対応する能力が終了した場合、該端末能力識別子情報の操作情報は、終了した能力識別子情報を指示する。例えば、端末は、４Ｇネットワークにアクセスした後に５Ｇネットワークの能力を終了し、５Ｇネットワーク能力の能力識別子情報をネットワークに通知する。なお、複数の能力識別子情報の場面において、該端末能力識別子情報の操作情報は、特有の利点を有する。
【０１０２】
選択可能で、端末位置変更情報は、端末位置が変更するか否かの指示情報、第１端末の識別子（例えば、端末の機器識別子（例えば、ＩＭＥＩ識別子））、第２端末の識別子（例えば、端末の機器識別子（例えば、ＩＭＥＩ識別子））の少なくとも１つを含む。一実施形態では、実行主体端末がカードである場合、カードは、第１端末から第２端末に移される。第１端末の識別子と第２端末の識別子とが異なることにより、端末位置変更を第１目標側が確認するのを支援する。
【０１０３】
選択可能で、該端末能力変更情報は、能力変更指示情報、能力変更種別情報、能力変数情報、第１能力識別子情報、及び第２能力識別子情報の少なくとも１つを含む。なお、該端末能力変更情報によって、端末能力の変更が発生するかを指示し、及び／又は、変更前と変更後の能力の差異を指示する。一実施形態では、能力変更指示情報は、能力の変更が発生するか否かを指示する。
【０１０４】
具体的には、第１能力識別子情報は、更新前端末能力からマッピングする能力識別子情報であり、第２能力識別子情報は、更新後端末能力からマッピングする能力識別子情報である。一実施形態では、第１能力識別子情報及び／又は第２能力識別子情報によって端末能力変更情報を示す。なお、該方式は、端末メーカが能力識別子情報を割り当てる方式に適用可能である。
【０１０５】
なお、能力変数は、変化が発生する能力、新規追加の能力、及び減少される能力の少なくとも１つを含む。
【０１０６】
更に、該能力変数情報は、能力変数の能力識別子情報、変更が発生する能力の能力情報、新規追加能力の能力情報、終了能力の能力情報、変更前能力の能力識別子情報、変更後能力の能力識別子情報、新規追加能力の能力識別子情報、及び終了能力の能力識別子情報の少なくとも１つを含む。更に、能力情報は、能力指示補助情報、能力コンテキストの少なくとも１つを含む。なお、能力変数情報の方式は、ネットワークによって能力識別子を割り当てる方式に適用可能である。能力変数情報によって、端末から完全な端末能力を送信する必要がなく、シグナリングを節約し、更新後の能力をネットワークが導出するのをサポートし、更新後の能力に能力識別子情報を割り当てる。
【０１０７】
一実施形態では、第１能力識別子情報及び能力変数情報によって、変更された端末能力を指示する。なお、更新後の端末能力を第１目標側が導出するのを支援する。
【０１０８】
一実施形態では、第１能力識別子情報及び能力変数の識別子情報とによって、変更後の端末能力を導出する。例えば、端末は、ある無線アクセスタイプＲＡＴ（Ｒａｄｉｏ  Ａｃｃｅｓｓ  Ｔｙｐｅ）能力を終了し、１つの大きい能力識別子（例えば、第１能力識別子情報）及び１つの終了した小さい能力識別子（例えば、能力変数識別子情報）によって、更新後の端末能力を指示する。又は、端末は、１つの無線アクセスタイプＲＡＴ能力をオンにし、１つの大きい能力識別子と１つの新規追加の小さい能力識別子とによって、更新後の端末能力を指示する。
【０１０９】
一実施形態では、第１能力識別子情報及び第２能力識別子情報によって、端末能力の変更が発生することを指示する。なお、第１目標側は、第２能力識別子情報を受信した後、端末能力識別子情報を第２能力識別子情報に更新してもよいし、第２能力識別子情報に基づいて変更後の端末能力を取得してもよい。又は、第１目標側は、第１能力識別子情報及び第２能力識別子情報に基づいて、ある能力変数情報を取得する。
【０１１０】
一実施形態では、端末能力識別子情報の指示情報及び第２能力識別子情報によって、端末能力識別子情報を第２能力識別子情報に更新してもよいし、第２能力識別子情報に基づいて、更新後の端末能力を第１目標側が取得するのを支援してもよい。
【０１１１】
一実施形態では、例えば、端末の能力識別子情報が２、３、４、５の４つの識別子から構成され、それぞれ２Ｇネットワーク能力、３Ｇネットワーク能力、４Ｇネットワーク能力、５Ｇネットワーク能力に対応する場合、５Ｇネットワーク能力を終了することが決定されると、端末は、能力識別子５に対応する能力の終了をネットワークに通知する。ネットワークは、対応する端末コンテキストから能力識別子５を削除する。
【０１１２】
一実施形態では、例えば、端末の能力識別子情報は、基本能力識別子１と、追加能力変数の能力識別子Ａ，Ｂ及びＣとから構成され、ここで、端末ＵＥ１の能力識別子が１及びＡである場合、ＵＥ１が１及びＡからマッピングする能力をサポートすることを示し、端末ＵＥ２の能力識別子が１及びＢである場合、ＵＥ１が１及びＢからマッピングする能力をサポートすることを示し、このように類推する。その後、ＵＥ１がＡからマッピングする能力を終了する場合、ＵＥ１は、Ａからマッピングする能力を終了したことをネットワークに通知する。ネットワークは、能力識別子Ａを削除し、能力識別子１を保留し、ＵＥ１では能力識別子１からマッピングする基本能力のみが残ることを示す。その後、ＵＥ１は、Ａからマッピングする能力を再びオンにすると、ネットワークに通知し、ネットワークは、能力識別子Ａを新規に追加し又は復元する。
【０１１３】
他の実施形態では、例えば、端末の能力識別子情報は、端末種別全能力識別子１と、終了能力変数識別子Ａ，Ｂ，Ｃとから構成され、端末種別全能力識別子は、端末の機種及び／又はソフトウェアバージョンを含む。ここで、端末ＵＥ３の能力識別子が１及びＡである場合、ＵＥ３が、識別子１からマッピングする能力から、Ａからマッピングする能力を除くことをサポートすることを示す。ＵＥ３は、その後、Ａからマッピングする能力をオンにすると、識別子Ａの削除をネットワークに通知する。ＵＥ３は、Ａからマッピングする能力を再び終了すると、能力識別子Ａの新規追加をネットワークに通知する。
【０１１４】
なお、異なる能力識別子割当方式、即ち単一識別子又は複数識別子によって、ネットワークによって割り当て又は端末メーカによって割り当てることで、端末能力の更新後に、能力報告シグナリングを節約すると共に、端末とネットワーク側における端末能力の同期維持を保証することができる。
【０１１５】
なお、本開示の実施例において、端末能力の第１関連操作によって、端末能力更新の際に、端末能力の報告を最適化する効果を達成することができるため、能力報告シグナリングを節約すると共に、同一端末が異なる条件で異なる端末能力に対応するニーズを満たすこともできる。
【０１１６】
図２に示すように、本開示の実施例は、更に、通信機器に応用される能力制御方法を提供する。前記通信機器は、端末及びネットワーク側機器の一方を含む。端末は、端末能力を有するリレーを含む。前記方法は、以下のステップを含む。
【０１１７】
ステップ２０１において、能力変数を取得する要求情報を受信する。
【０１１８】
なお、一実施形態では、能力変数を取得する要求情報を第２目標側から受信する。該第２目標側は、ＲＡＮネットワーク要素、ＣＮネットワーク要素、アクセスモビリティ管理機能ＡＭＦ、モビリティ管理エンティティＭＭＥ、及び能力管理機能ネットワーク要素の少なくとも１つを含むが、それらに限られない。
【０１１９】
選択可能で、ステップ２０１の実行に先立って、更に第１情報を第１目標側に送信する。更に、第１目標側は、ＲＡＮネットワーク要素、ＣＮネットワーク要素、アクセスモビリティ管理機能ＡＭＦ、モビリティ管理エンティティＭＭＥ、及び能力管理機能ネットワーク要素の少なくとも１つを含む。第１目標側は、第２目標側と同じであってもよいし、異なっていてもよい。
【０１２０】
ステップ２０２において、能力変数を取得する要求情報に基づいて、能力変数情報を送信する。
【０１２１】
一実施形態では、能力変数情報を第２目標側に送信する。
【０１２２】
選択可能で、該能力変数を取得する要求情報は、第１能力識別子情報、第２能力識別子情報、能力変数の能力情報を取得するか否かの指示情報、能力変数の能力識別子情報を取得するか否かの指示情報、及び能力変数の種別情報の少なくとも１つを含む。
【０１２３】
具体的には、第１能力識別子情報は、更新前端末能力からマッピングする能力識別子情報であり、第２能力識別子情報は、更新後端末能力からマッピングする能力識別子情報である。
【０１２４】
一実施形態では、能力変数は、更新が発生する能力である。
【０１２５】
一実施形態では、能力変数は、第２能力識別子情報からマッピングする端末能力と第１能力識別子情報からマッピングする端末能力との差異である。
【０１２６】
選択可能で、能力変数の種別情報は、能力変数のネットワーク種別情報、能力変数のサービスネットワーク情報、能力変数のカードスロット情報、能力変数のカード情報の少なくとも１つを含む。なお、能力変数の種別情報は、種別情報に一致する能力変数の情報の取得を要求する。
【０１２７】
更に、能力変数対応ネットワーク種別情報は、ネットワークの種別、能力が全てのネットワーク種別に適用するか否かの指示情報、能力がネットワーク種別を問わないか否かの指示情報の少なくとも１つを含む。ここで、ネットワーク種別情報は、端末が現在サポートしているネットワーク種別の能力を指示し、又は、端末がサポートしていないネットワーク種別の能力を指示する。
【０１２８】
更に、能力変数対応カードスロット情報は、カードスロットの識別子情報、カードスロットのシリアル番号、第１カードスロットの情報、第２カードスロットの情報、メインカードスロット又はサブカードスロットに対応する指示情報、能力がすべてのカードスロットに適用するか否かの指示情報、及び、能力がカードスロットを問わないか否かの指示情報の少なくとも１つを含む。具体的には、第１カードスロットは、端末のメインカードに対応するカードスロットであり、第２カードスロットは、端末のサブカードに対応するカードスロットである。
【０１２９】
更に、能力変数対応カード情報は、カードのサービスネットワークのネットワーク情報、カードのシリアル番号、カードが装着されているカードスロットのシリアル番号、メインカード又はサブカードの指示情報、能力がすべてのカードに適用するか否かの指示情報、能力がカードを問わないか否かの指示情報の少なくとも１つを含む。なお、能力対応カード情報により、端末の該当カードにおける対応する端末能力をネットワークがマッピングするのを支援する。
【０１３０】
更に、能力変数対応サービスネットワーク情報は、サービスネットワークのネットワーク識別子情報、能力が全てのサービスネットワークに適用するか否かの指示情報、能力がサービスネットワークを問わないか否かの指示情報の少なくとも１つを含む。更に、ネットワーク識別子情報は、公衆通信ネットワークの識別子（例えばＰＬＭＮ）、プライベート通信ネットワークの識別子（例えばＴｙｐｅＡネットワーク識別子、ＴｙｐｅＢネットワーク識別子）を含む。
【０１３１】
選択可能で、該能力変数情報は、能力変数の能力識別子情報、変更が発生する能力情報、新規追加の能力情報、終了の能力情報、変更前能力の能力識別子情報、変更後能力の能力識別子情報、新規追加能力の能力識別子情報、及び終了能力の能力識別子情報の少なくとも１つを含む。
【０１３２】
なお、本開示の実施例において、能力変数情報を取得することによって、端末能力更新の際に、端末能力の報告を最適化する効果を達成することができるため、能力報告シグナリングを節約すると共に、同一端末が異なる条件で異なる端末能力に対応するニーズを満たすこともできる。
【０１３３】
図３に示すように、本開示の実施例は、更に、ネットワーク側のネットワーク要素に応用される能力制御方法を提供する。前記方法は、以下のステップを含む。
【０１３４】
ステップ３０１において、第１情報を取得する。
【０１３５】
選択可能で、該第１情報は、端末能力変更情報、端末位置変更情報、端末能力情報、端末能力識別子情報の指示情報、及び端末能力識別子情報の操作情報の少なくとも１つを含む。
【０１３６】
一実施形態では、該第１ネットワーク側のネットワーク要素は、ＣＮネットワーク要素、ＲＡＮネットワーク要素、アクセスモビリティ管理機能ＡＭＦ、モビリティ管理エンティティＭＭＥ、能力管理機能ネットワーク要素の少なくとも１つを含む。
【０１３７】
一実施形態では、第３目標側から第１情報を取得する。該第３目標側は、端末、第２ネットワーク側のネットワーク要素の少なくとも１つを含むが、それらに限られない。
【０１３８】
該第１ネットワーク側のネットワーク要素は、ＣＮネットワーク要素、ＲＡＮネットワーク要素、アクセスモビリティ管理機能ＡＭＦ、モビリティ管理エンティティＭＭＥ、能力管理機能ネットワーク要素の少なくとも１つを含む。
【０１３９】
選択可能で、該端末能力識別子情報は、端末機種情報、能力指示補助情報、能力識別子適用範囲情報、及び端末能力識別子の少なくとも１つを含む。
【０１４０】
一実施形態では、端末能力識別子情報は、端末機種情報及び能力指示補助情報を含む。
【０１４１】
一実施形態では、端末能力識別子情報は、端末能力識別子を含む。
【０１４２】
一実施形態では、端末能力識別子情報は、端末能力識別子及び能力指示補助情報を含む。
【０１４３】
一実施形態では、端末能力識別子情報は、端末能力識別子及び能力識別子適用範囲情報を含む。
【０１４４】
選択可能で、該端末機種情報は、端末メーカ識別子、タイプ割り当てコード（例えばタイプ割り当てコードＴＡＣ）及びソフトウェアバージョン番号（例えばＳＶＮ）の少なくとも１つを含む。
【０１４５】
選択可能で、該能力指示補助情報は、能力対応カードスロット情報、能力対応カード情報（例えば物理的カードのカード情報、電子カードのカード情報）、能力対応サービスネットワーク情報、能力対応ネットワーク種別情報、及び能力種別指示情報の少なくとも１つを含む。
【０１４６】
更に、能力対応カードスロット情報は、カードスロットの識別子情報、カードスロットのシリアル番号、第１カードスロットの情報、第２カードスロットの情報、メインカードスロット又はサブカードスロットに対応する指示情報、能力がすべてのカードスロットに適用するか否かの指示情報、及び、能力がカードスロットを問わないか否かの指示情報の少なくとも１つを含む。なお、具体的には、第１カードスロットは、端末のメインカードに対応するカードスロットであり、第２カードスロットは、端末のサブカードに対応するカードスロットである。
【０１４７】
更に、能力対応カード情報は、カードのサービスネットワークのネットワーク情報、カードのシリアル番号、カードが装着されているカードスロットのシリアル番号、メインカード又はサブカードの指示情報、能力がすべてのカードに適用するか否かの指示情報、能力がカードを問わないか否かの指示情報の少なくとも１つを含む。なお、能力対応カード情報により、端末の該当カードにおける対応する端末能力をネットワークがマッピングするのを支援する。
【０１４８】
更に、能力対応サービスネットワーク情報は、サービスネットワークのネットワーク識別子情報、能力が全てのサービスネットワークに適用するか否かの指示情報、能力がサービスネットワークを問わないか否かの指示情報の少なくとも１つを含む。更に、ネットワーク識別子情報は、公衆通信ネットワークの識別子（例えばＰＬＭＮ）、プライベート通信ネットワークの識別子（例えばＴｙｐｅＡネットワーク識別子、ＴｙｐｅＢネットワーク識別子）を含む。
【０１４９】
更に、能力対応ネットワーク種別情報は、ネットワークの種別、能力が全てのネットワーク種別に適用するか否かの指示情報、能力がネットワーク種別を問わないか否かの指示情報の少なくとも１つを含む。ここで、ネットワーク種別情報は、端末が現在サポートしているネットワーク種別の能力を指示し、又は、端末がサポートしていないネットワーク種別の能力を指示する。
【０１５０】
選択可能で、該端末能力識別子情報の指示情報は、端末能力識別子が失効したかの指示情報、端末能力識別子を削除するかの指示情報、端末能力識別子を一時停止するかの指示情報、端末能力識別子を復元するかの指示情報、端末能力識別子の更新を要求するかの指示情報、及び端末能力識別子の割り当てを要求するかの指示情報の少なくとも１つを含む。
【０１５１】
なお、この端末能力識別子情報の指示情報は、端末のすべての能力識別子情報の指示に適用する。同一端末は、１つ又は複数の能力識別子情報を有する。例えば、端末能力識別子が失効したかの指示情報は、端末能力識別子の失効を指示する場合、端末コンテキスト内の全ての能力識別子情報を第１目標側が削除又は一時停止するのを支援する。
【０１５２】
選択可能で、該端末能力識別子情報の操作情報は、終了した能力識別子情報、失効した能力識別子情報、削除した能力識別子情報、一時停止した能力識別子情報、新規追加した能力識別子情報、及び復元した能力識別子情報の少なくとも１つを含む。
【０１５３】
なお、同一端末は、１つ又は複数の能力識別子情報を有する。一実施態様では、一部の能力識別子情報のみに対応する能力が終了した場合、該端末能力識別子情報の操作情報を、終了した能力識別子情報を指示する。例えば、端末は、４Ｇネットワークにアクセスした後に５Ｇネットワークの能力を終了し、５Ｇネットワーク能力の能力識別子情報をネットワークに通知する。なお、複数の能力識別子情報の場面において、該端末能力識別子情報の操作情報は、特有の利点を有する。
【０１５４】
選択可能で、端末位置変更情報は、端末位置が変更するか否かの指示情報、第１端末の識別子（例えば、端末の機器識別子（例えば、ＩＭＥＩ識別子））、第２端末の識別子（例えば、端末の機器識別子（例えば、ＩＭＥＩ識別子））の少なくとも１つを含む。一実施形態では、実行主体端末がカードである場合、カードは、第１端末から第２端末に移される。第１端末の識別子と第２端末の識別子とが異なることにより、端末位置変更を第１目標側が確認するのを支援する。
【０１５５】
選択可能で、該端末能力変更情報は、能力変更指示情報、能力変更種別情報、能力変数情報、第１能力識別子情報、及び第２能力識別子情報の少なくとも１つを含む。なお、該端末能力変更情報によって、端末能力の変更が発生するかを指示し、及び／又は変更前と変更後の能力の差異を指示する。一実施形態では、能力変更指示情報は、能力の変更が発生するかを指示する。
【０１５６】
具体的には、第１能力識別子情報は、更新前端末能力からマッピングする能力識別子情報であり、第２能力識別子情報は、更新後端末能力からマッピングする能力識別子情報である。一実施形態では、第１能力識別子情報及び／又は第２能力識別子情報によって端末能力変更情報を示す。なお、該方式は、端末メーカが能力識別子情報を割り当てる方式に適用可能である。
【０１５７】
なお、能力変数は、変化が発生する能力、新規追加の能力、及び減少される能力の少なくとも１つを含む。
【０１５８】
更に、能力変数情報は、能力変数の能力識別子情報、変更が発生する能力の能力情報、新規追加能力の能力情報、終了能力の能力情報、変更前能力の能力識別子情報、変更後能力の能力識別子情報、新規追加能力の能力識別子情報、及び終了能力の能力識別子情報の少なくとも１つを含む。更に、能力情報は、能力指示補助情報、能力コンテキストの少なくとも１つを含む。
【０１５９】
なお、能力変数情報の方式は、ネットワークによって能力識別子を割り当てる方式に適用可能である。能力変数情報によって、端末から完全な端末能力を送信する必要がなく、シグナリングを節約し、更新後の能力をネットワークが導出するのをサポートし、更新後の能力に能力識別子情報を割り当てる。
【０１６０】
ステップ３０２において、第１情報に基づいて、端末能力の第２関連操作を実行する。
【０１６１】
本開示の実施例において、選択可能で、ステップ３０２で端末能力の第２関連操作を実行することは、端末能力識別子情報の更新、端末能力識別子情報の削除又は一時停止、新規追加の端末能力識別子情報の保存、（今まで一時停止又は削除された）端末能力識別子情報の復元、更新済みの端末能力に対する能力識別子情報の割り当て、能力変数に対する能力識別子情報の割り当て、前記第１情報の保存、第１目標側（選択可能で、該第１目標側がＲＡＮネットワーク要素、ＣＮネットワーク要素などである）への前記第１情報の送信、端末能力の導出又はマッピング、端末能力の更新、端末コンテキストの第１能力識別子情報から第２能力識別子情報への更新、端末能力を取得する要求情報の第２目標側（選択可能で、該第２目標側が端末などである）への送信、及び、端末変数を取得する要求情報の第３目標側（選択可能で、該第３目標側が端末などである）への送信の少なくとも１つを含む。
【０１６２】
更に、前記端末能力識別子情報の更新は、端末能力識別子情報の指示情報、及び端末能力識別子情報の操作情報の少なくとも１つに基づいて、前記端末能力識別子情報を更新することを含む。
【０１６３】
更に、該端末能力識別子情報の更新は、具体的には、第１能力識別子情報を第２能力識別子情報に更新すること、第１能力識別子情報を削除すること、第１能力識別子情報を無効に設定することの少なくとも１つを含む。ここで、第１能力識別子情報は、更新前端末能力からマッピングする能力識別子情報であり、該第２能力識別子情報は、具体的に更新後端末能力からマッピングする能力識別子情報である。一実施形態では、第１能力識別子情報に複数の能力識別子が含まれる場合、一部の第１能力メッセージの中の能力識別子を削除する。一実施形態では、第１能力識別子に複数の能力識別子が含まれる場合、一部の第１能力のうちの能力を無効に設定し、又は一時停止する。
【０１６４】
更に、前記端末能力識別子情報の削除又は一時停止は、端末能力識別子失効の指示情報、端末能力識別子削除の指示情報、失効した能力識別子情報、削除された能力識別子情報、端末位置変更情報、及び端末能力変更情報の少なくとも１つに基づいて、前記端末能力識別子情報を削除又は一時停止することを含む。
【０１６５】
更に、前記端末能力識別子情報の復元は、端末能力識別子復元の指示情報、端末位置変更情報、及び端末能力変更情報の少なくとも１つに基づいて、端末の能力識別子情報を復元することを含む。
【０１６６】
更に、前記端末能力の導出又はマッピングは、第２能力識別子情報、端末能力識別子情報の指示情報、及び端末能力識別子情報の操作情報の少なくとも１つに基づいて、前記端末能力を導出又はマッピングすることを含む。
【０１６７】
更に、前記端末能力の更新は、能力変数情報、及び第２能力識別子情報からマッピングする端末能力の少なくとも１つに基づいて、前記端末の能力を更新することを含む。
【０１６８】
一実施形態では、第１能力識別子情報及び能力変数情報によって、変更後の端末能力を導出する。
【０１６９】
一実施形態では、第１能力識別子情報及び能力変数の識別子情報とによって、変更後の端末能力を導出する。例えば、端末は、ある無線アクセスタイプＲＡＴ（Ｒａｄｉｏ  Ａｃｃｅｓｓ  Ｔｙｐｅ）能力を終了し、１つの大きい能力識別子（例えば、第１能力識別子情報）及び１つの終了した小さい能力識別子（例えば、能力変数識別子情報）によって、更新後の端末能力を指示する。又は、端末は、１つの無線アクセスタイプＲＡＴ能力をオンにし、１つの大きい能力識別子と１つの新規追加の小さい能力識別子とによって、更新後の端末能力を指示する。
【０１７０】
一実施形態では、第１能力識別子情報及び第２能力識別子情報によって、端末能力の変更が発生することを指示する。なお、第２能力識別子情報を受信した後、端末能力識別子情報を第２能力識別子情報に更新してもよいし、第２能力識別子情報に基づいて変更後の端末能力を取得してもよい。又は、第１能力識別子情報及び第２能力識別子情報に基づいて、ある能力変数情報を取得する。
【０１７１】
一実施形態では、端末能力識別子情報の指示情報及び第２能力識別子情報によって、端末能力識別子情報を第２能力識別子情報に更新してもよいし、第２能力識別子情報に基づいて、更新後の端末能力を取得してもよい。
【０１７２】
一実施形態では、例えば、端末の能力識別子情報が２、３、４、５の４つの識別子から構成され、それぞれ２Ｇネットワーク能力、３Ｇネットワーク能力、４Ｇネットワーク能力、５Ｇネットワーク能力に対応する場合、５Ｇネットワーク能力を終了することが決定されると、端末は、能力識別子５に対応する能力の終了をネットワークに通知する。ネットワークは、対応する端末コンテキストから能力識別子５を削除する。
【０１７３】
一実施形態では、例えば、端末の能力識別子情報が２、３、４、５の４つの識別子から構成され、それぞれ２Ｇネットワーク能力、３Ｇネットワーク能力、４Ｇネットワーク能力、５Ｇネットワーク能力に対応する場合、５Ｇネットワーク能力を終了することが決定されると、端末は、能力識別子５に対応する能力の終了をネットワークに通知する。ネットワークは、対応する端末コンテキストから能力識別子５を削除する。
【０１７４】
一実施形態では、例えば、端末の能力識別子情報は、基本能力識別子１と、追加能力変数の能力識別子Ａ，Ｂ及びＣとから構成され、ここで、端末ＵＥ１の能力識別子が１及びＡである場合、ＵＥ１が１及びＡからマッピングする能力をサポートすることを示し、端末ＵＥ２の能力識別子が１及びＢである場合、ＵＥ１が１及びＢからマッピングする能力をサポートすることを示し、このように類推する。その後、ＵＥ１がＡからマッピングする能力を終了する場合、ＵＥ１は、Ａからマッピングする能力を終了したことをネットワークに通知する。ネットワークは、能力識別子Ａを削除し、能力識別子１を一時停止し、ＵＥ１では能力識別子１からマッピングする基本能力のみが残ることを示す。その後、ＵＥ１は、Ａからマッピングする能力を再びオンにすると、ネットワークに通知し、ネットワークは、能力識別子Ａを新規に追加し又は復元する。
【０１７５】
他の実施形態では、例えば、端末の能力識別子情報は、端末種別全能力識別子１と、終了能力変数識別子Ａ，Ｂ，Ｃとから構成され、端末種別全能力識別子は、端末の機種及び／又はソフトウェアバージョンを含む。ここで、端末ＵＥ３の能力識別子が１及びＡである場合、ＵＥ３が、識別子１からマッピングする能力から、Ａからマッピングする能力を除くことをサポートすることを示す。ＵＥ３は、その後、Ａからマッピングする能力をオンにすると、識別子Ａの削除をネットワークに通知する。ＵＥ３は、Ａからマッピングする能力を再び終了すると、能力識別子Ａの新規追加をネットワークに通知する。
【０１７６】
一実施形態では、ネットワーク側のネットワーク要素は、第１能力識別子情報からマッピングする端末能力及び能力変数情報に基づいて、最新の端末能力を導出する。一実施形態では、ネットワーク側のネットワーク要素は、第１能力識別子情報からマッピングする端末能力及び能力変数情報に基づいて、第２能力識別子情報からマッピングする端末能力を導出する。なお、第２能力識別子情報からマッピングする端末能力が存在しない場合、ネットワーク側のネットワーク要素は、既有の第１能力識別子情報からマッピングする端末能力及び能力変数情報に基づいて、最新の端末能力を導出する。
【０１７７】
なお、本開示の実施例において、端末能力の第２関連操作によって、端末能力更新の際に、端末能力の報告を最適化する効果を達成することができるため、能力報告シグナリングを節約すると共に、同一端末が異なる条件で異なる端末能力に対応するニーズを満たすこともできる。
【０１７８】
図４に示すように、本開示の実施例は、更に、ネットワーク側のネットワーク要素に応用される能力制御方法を提供する。前記方法は、以下のステップを含む。
【０１７９】
ステップ４０１において、第２情報を取得する。
【０１８０】
選択可能で、該第２情報は、端末による能力シグナリング最適化の非対応の指示情報、登録解除要求情報、及び登録要求情報の少なくとも１つを含む。
【０１８１】
一実施形態では、該ネットワーク側のネットワーク要素は、ＣＮネットワーク要素、ＲＡＮネットワーク要素、アクセスモビリティ管理機能ＡＭＦ、モビリティ管理エンティティＭＭＥ、能力管理機能ネットワーク要素の少なくとも１つを含む。
【０１８２】
一実施形態では、端末による能力シグナリング最適化の非対応の指示情報は、端末が能力シグナリング最適化に対応することから、能力シグナリング最適化に対応しないことに変更する指示情報である。
【０１８３】
ステップ４０２において、第２情報に基づいて、端末能力の第３関連操作を実行する。
【０１８４】
選択可能で、ステップ４０１で第２情報を取得することは、端末位置変更、及び能力シグナリング最適化の指示情報の未受信の少なくとも１つに基づいて、端末による能力シグナリング最適化の非対応の指示情報を取得することを含む。
【０１８５】
一実施形態では、受信した端末位置変更情報に基づいて端末位置変更を確認する。
【０１８６】
選択可能で、端末位置変更情報は、端末位置が変更するか否かの指示情報、第１端末の識別子（例えば、端末の機器識別子（例えば、ＩＭＥＩ識別子））、第２端末の識別子（例えば、端末の機器識別子（例えば、ＩＭＥＩ識別子））の少なくとも１つを含む。一実施形態では、実行主体端末がカードである場合、カードは、第１端末から第２端末に移される。第１端末の識別子と第２端末の識別子とが異なることにより、端末位置変更を確認する。
【０１８７】
一実施形態では、能力シグナリング最適化の指示情報の未受信は、受信した登録要求メッセージの中に能力シグナリング最適化の指示情報が含まれないことである。
【０１８８】
本開示の実施例において、選択可能で、ステップ４０２で端末能力の第３関連操作を実行することは、端末の能力シグナリング最適化能力の更新、端末能力識別子情報の削除又は一時停止、前記第２情報の第４目標側（選択可能で、該第４目標側がＲＡＮネットワーク要素、ＣＮネットワーク要素などである）への送信、及び端末能力を取得する要求情報の第５目標側（選択可能で、該第４目標側が端末などである）への送信の少なくとも１つを含む。
【０１８９】
一実施形態では、削除又は一時停止の端末能力識別子情報は、既有の端末能力識別子であってもよいし、登録済みの端末能力識別子であってもよい。例えばカードを第１端末から第２端末に移した場面では、第１端末に対して登録解除プロセスを行う必要があり、第２端末に対して登録プロセスを行う必要がある。一方、ネットワークに対して再登録プロセスを行う必要がある。ネットワークの再登録プロセスが順調に進むことを保証するために、ネットワークに登録されていたコンテキストに既有の能力識別子情報を削除する。
【０１９０】
以下、図５〜図１３を参照しながら本開示の一部の具体的な実施例を詳細に説明する。
【０１９１】
図５に示すように、本開示の実施例は、主に端末からＣＮネットワーク要素に第１情報を送信するプロセスを記載する。図５に示すように、対応する送信プロセスは、以下のステップを含む。
【０１９２】
ステップ５１において、端末は、第１情報が含まれるＮＡＳメッセージを、ＲＡＮネットワーク要素を介してＣＮネットワーク要素に送信する。
【０１９３】
なお、ＣＮネットワーク要素は、アクセスモビリティ管理機能ＡＭＦ、ポリシー制御機能ＰＣＦ、ポリシー＆課金ルール機能ユニットＰＣＲＦ、ＯＡＭ及び能力管理機能ネットワーク要素のいずれかである。
【０１９４】
選択可能で、ＣＮネットワーク要素は、第１情報からのマッピングで端末の能力を得る。ＣＮネットワーク要素は、第１能力識別子情報を第２能力識別子情報に更新する。
【０１９５】
一実施形態では、第１情報に第２能力識別子情報（更新後の能力識別子情報）が含まれる場合、ＣＮネットワーク要素は、第２能力識別子情報からマッピングする端末能力が存在するか否かのマッピングが可能である。存在しない場合、ＣＮネットワーク要素は、第２能力識別子情報からマッピングする端末能力をＲＡＮネットワーク要素から取得する。選択可能で、ＣＮネットワーク要素は、第２能力識別子情報からマッピングする端末能力を取得する場合、能力変数のみを取得してもよい。
【０１９６】
一実施形態では、第１情報に第１能力識別子情報（更新前の能力識別子情報）及び能力変数情報が含まれる場合、ＣＮネットワーク要素は、第１能力識別子情報からマッピングする端末能力及び能力変数情報に基づいて、最新の端末能力を取得する。
【０１９７】
ステップ５２において、ＣＮネットワーク要素は、第１情報が含まれるＮＧ又はＳ１（単にＮＧ／Ｓ１という）メッセージをＲＡＮネットワーク要素に送信する。
【０１９８】
選択可能で、ＲＡＮネットワーク要素は、第１情報からのマッピングで端末の能力を得る。ＲＡＮネットワーク要素は、第１能力識別子情報を第２能力識別子情報に更新する。
【０１９９】
一実施形態では、第１情報に第２能力識別子情報（更新後の能力識別子情報）が含まれる場合、ＲＡＮネットワーク要素は、第２能力識別子情報からマッピングする端末能力が存在するか否かのマッピングが可能であり、フローが終了する。
【０２００】
一実施形態では、第２能力識別子情報からマッピングする端末能力が存在しない場合、ＲＡＮネットワーク要素は、第２能力識別子情報からマッピングする端末能力を端末から取得する。ＲＡＮネットワーク要素は、第２能力識別子情報からマッピングする端末能力を取得する場合、能力変数のみを取得してもよく、ステップ５３へ進む。
【０２０１】
ステップ５３において、選択可能で、ＲＡＮネットワーク要素は、ＲＲＣメッセージを介して端末に対して端末能力取得要求を送信する。選択可能で、該ＲＲＣメッセージは、能力変数を取得する要求情報を含む。
【０２０２】
ステップ５４において、選択可能で、端末は、端末能力関連情報のＲＲＣメッセージをＲＡＮネットワーク要素に送信する。選択可能で、該ＲＲＣメッセージは、能力変数情報を含む。
【０２０３】
なお、ＲＡＮネットワーク要素は、第１能力識別子情報からマッピングする端末能力及び能力変数情報に基づいて、第２能力識別子情報からマッピングする端末能力を導出する。
【０２０４】
ステップ５５において、選択可能で、ＲＡＮネットワーク要素は、端末能力指示メッセージをＣＮネットワーク要素に送信する。選択可能で、該メッセージは、能力変数情報を含む。
【０２０５】
なお、ＣＮネットワーク要素は、第１能力識別子情報からマッピングする端末能力及び能力変数情報に基づいて、第２能力識別子情報からマッピングする端末能力を導出する。
【０２０６】
図６に示すように、本開示の実施例は、主に端末からＲＡＮネットワーク要素に第１情報を送信するプロセスを記載する。図６に示すように、対応する送信プロセスは、以下のステップを含む。
【０２０７】
ステップ６１において、端末は、第１情報が含まれるＲＲＣメッセージをＲＡＮネットワーク要素に送信する。
【０２０８】
選択可能で、ＲＡＮネットワーク要素は、第１情報からのマッピングで端末の能力を得る。ＲＡＮネットワーク要素は、第１能力識別子情報を第２能力識別子情報に更新する。
【０２０９】
一実施形態では、第１情報に第２能力識別子情報が含まれるが、ＲＡＮネットワーク要素に第２能力識別子情報からマッピングする端末能力が存在しない場合、ＲＡＮネットワーク要素は、第２能力識別子情報からマッピングする端末能力を端末から取得する。ＲＡＮネットワーク要素は、第２能力識別子情報からマッピングする端末能力を取得する場合、能力変数のみを取得してもよく、ステップ６２へ進む。
【０２１０】
ステップ６２において、選択可能で、ＲＡＮネットワーク要素は、ＲＲＣメッセージを介して端末に対して端末能力取得要求を送信する。該ＲＲＣメッセージは、能力変数を取得する要求情報を含む。
【０２１１】
ステップ６３において、選択可能で、端末は、端末能力関連情報のＲＲＣメッセージをＲＡＮネットワーク要素に送信する。選択可能で、該ＲＲＣメッセージは、能力変数情報を含む。
【０２１２】
なお、ＲＡＮネットワーク要素は、第１能力識別子情報からマッピングする端末能力及び能力変数情報に基づいて、第２能力識別子情報からマッピングする端末能力を導出する。
【０２１３】
ステップ６４において、ＲＡＮネットワーク要素は、第１情報及び／又は能力変数情報をＣＮネットワーク要素に送信する。
【０２１４】
なお、ＣＮネットワーク要素は、アクセスモビリティ管理機能ＡＭＦ、ポリシー制御機能ＰＣＦ、ポリシー＆課金ルール機能ユニットＰＣＲＦ、ＯＡＭ及び能力管理機能ネットワーク要素等のいずれかである。
【０２１５】
選択可能で、ＣＮネットワーク要素は、第１情報及び／又は能力変数情報に基づいて、端末の能力をマッピング又は導出する。
【０２１６】
選択可能で、ＣＮネットワーク要素は、第１情報及び／又は能力変数情報に基づいて、第２能力識別子情報からマッピングする端末能力を導出する。
【０２１７】
選択可能で、ＣＮネットワーク要素は、第１能力識別子情報を第２能力識別子情報に更新する。
【０２１８】
図７に示すように、本開示の実施例は、主に端末からＣＮネットワーク要素に第１情報を送信するプロセスを記載する。図７に示すように、対応する送信プロセスは、以下のステップを含む。
【０２１９】
ステップ７１において、端末は、第１情報が含まれるＮＡＳメッセージを、ＲＡＮネットワーク要素を介してＣＮネットワーク要素に送信する。
【０２２０】
なお、ＣＮネットワーク要素は、アクセスモビリティ管理機能ＡＭＦ、ポリシー制御機能ＰＣＦ、ポリシー＆課金ルール機能ユニットＰＣＲＦ、ＯＡＭ及び能力管理機能ネットワーク要素等のいずれかである。
【０２２１】
選択可能で、ＣＮネットワーク要素は、第１情報からのマッピングで端末の能力を得る。
【０２２２】
一実施形態では、第１情報に第２能力識別子情報（更新後の能力識別子情報）が含まれる場合、ＣＮネットワーク要素は、第２能力識別子情報からマッピングする端末能力が存在するか否かのマッピングが可能である。存在しない場合、ＣＮネットワーク要素は、第２能力識別子情報からマッピングする端末能力をＲＡＮネットワーク要素から取得する。選択可能で、ＣＮネットワーク要素は、第２能力識別子情報からマッピングする端末能力を取得する場合、能力変数のみを取得してもよく、ステップ７２へ進む。
【０２２３】
一実施形態では、第１情報に第１能力識別子情報（更新前の能力識別子情報）及び能力変数情報が含まれる場合、ＣＮネットワーク要素は、第１能力識別子情報からマッピングする端末能力及び能力変数情報に基づいて、最新の端末能力を取得する。
【０２２４】
一実施形態では、第１情報に第２能力識別子情報（更新後の能力識別子情報）が含まれ、且つＣＮネットワーク要素に第２能力識別子情報からマッピングする端末能力が存在する場合、ステップ７４へ進む。
【０２２５】
ステップ７２において、選択可能で、ＣＮネットワーク要素は、ＮＡＳメッセージを介して端末に対して端末能力取得要求を送信する。選択可能で、該ＮＡＳメッセージは、能力変数を取得する要求情報を含む。
【０２２６】
ステップ７３において、選択可能で、端末は、端末能力関連情報のＲＲＣメッセージをＣＮネットワーク要素に送信する。選択可能で、該ＲＲＣメッセージは、能力変数情報を含む。
【０２２７】
なお、ＣＮネットワーク要素は、第１能力識別子情報からマッピングする端末能力及び能力変数情報に基づいて、第２能力識別子情報からマッピングする端末能力を導出する。
【０２２８】
選択可能で、ＣＮネットワーク要素は、第１能力識別子情報を第２能力識別子情報に更新する。
【０２２９】
ステップ７４において、選択可能で、ＣＮネットワーク要素は、ＮＧ／Ｓ１メッセージをＲＡＮネットワーク要素に送信する。ここで、該ＮＧ／Ｓ１メッセージは、第１情報及び／又は能力変数情報を含む。
【０２３０】
選択可能で、ＣＮネットワーク要素は、第１情報及び／又は能力変数情報に基づいて、端末の能力をマッピング（又は導出）する。
【０２３１】
選択可能で、ＣＮネットワーク要素は、第１情報及び／又は能力変数情報に基づいて、第２能力識別子情報からマッピングする端末能力を導出する。
【０２３２】
図８に示すように、本開示の実施例は、主にＣＮネットワーク要素が第１情報に基づいて端末に第２能力識別子情報を割り当てるプロセスを記載する。図８に示すように、対応する割り当てプロセスは、以下のステップを含む。
【０２３３】
ステップ８１において、端末は、第１情報が含まれるＮＡＳメッセージを、ＲＡＮネットワーク要素を介してＣＮネットワーク要素に送信する。
【０２３４】
なお、ＣＮネットワーク要素は、アクセスモビリティ管理機能ＡＭＦ、ポリシー制御機能ＰＣＦ、ポリシー＆課金ルール機能ユニットＰＣＲＦ、ＯＡＭ、能力管理機能ネットワーク要素等のいずれかである。ＣＮネットワーク要素は、該第１情報からのマッピングで端末の能力を得る。
【０２３５】
一実施形態では、第２機種情報（例えばＴＡＣ／ＳＶＮ）、第２能力指示補助情報及び能力変数情報の少なくとも１つが第１情報に含まれる場合、ＣＮネットワーク要素は、第２能力識別子情報を割り当て、ＲＡＮネットワーク要素及び端末に送信する。
【０２３６】
一実施形態では、第１機種情報（例えばＴＡＣ／ＳＶＮ）、第１能力指示補助情報及び能力変数情報の少なくとも１つが第１情報に含まれる場合、ＣＮネットワーク要素は、第２能力識別子情報を割り当て、ＲＡＮネットワーク要素及び端末に送信する。
【０２３７】
一実施形態では、ＣＮネットワーク要素は、能力変数情報に基づいて、能力変数の識別子情報を割り当て、ＲＡＮネットワーク要素及び端末に送信する。
【０２３８】
ステップ８２において、ＣＮネットワーク要素は、第１情報が含まれるＮＧ／Ｓ１メッセージをＲＡＮネットワーク要素に送信する。
【０２３９】
選択可能で、ＲＡＮネットワーク要素は、第１情報からのマッピングで端末の能力を得る。第１情報は、図１の実施例の記載と同様である。
【０２４０】
選択可能で、ＲＡＮネットワーク要素は、第１能力識別子情報を第２能力識別子情報に更新する。
【０２４１】
ステップ８３において、選択可能で、ＲＡＮネットワーク要素は、端末にＲＲＣメッセージを送信するか、又はＮＡＳメッセージを転送する。選択可能で、該ＲＲＣメッセージ又はＮＡＳメッセージに第１情報が含まれる。
【０２４２】
選択可能で、第１情報は、図１の実施例の記載と同様である。端末は、第１能力識別子情報を第２能力識別子情報に更新する。
【０２４３】
図９に示すように、本開示の実施例は、主に、ある能力識別子情報の削除を端末からＣＮネットワーク要素に要求するプロセスを記載する。図９に示すように、対応する要求プロセスは、以下のステップを含む。
【０２４４】
ステップ９１において、端末は、第１情報が含まれるＮＡＳメッセージを、ＲＡＮネットワーク要素を介してＣＮネットワーク要素に送信する。
【０２４５】
なお、ＣＮネットワーク要素は、アクセスモビリティ管理機能ＡＭＦ、ポリシー制御機能ＰＣＦ、ポリシー＆課金ルール機能ユニットＰＣＲＦ、ＯＡＭ、能力管理機能ネットワーク要素等のいずれかである。ＣＮネットワーク要素は、該第１情報に基づいて、端末の能力を導出する。
【０２４６】
ステップ９２において、選択可能で、ＣＮネットワーク要素は、第１情報に基づいて、ある端末能力の識別子情報を削除又は一時停止する。
【０２４７】
一実施形態では、第１情報は、第１能力識別子情報及び能力変数情報を含む。
【０２４８】
一実施形態では、第１情報は、第２能力識別子情報及び能力変数情報を含む。
【０２４９】
ステップ９３において、選択可能で、ＣＮネットワーク要素は、削除又は一時停止の能力識別子情報が含まれるＮＧ／Ｓ１メッセージをＲＡＮネットワーク要素に送信する。
【０２５０】
ステップ９４において、選択可能で、ＲＡＮネットワーク要素は、端末にＲＲＣメッセージを送信し、又はＮＡＳメッセージを転送する。選択可能で、該ＲＲＣメッセージ又はＮＡＳメッセージには、削除又は一時停止の能力識別子情報と、削除又は一時停止の能力識別子情報の確認情報とが含まれる。
【０２５１】
図１０に示すように、本開示の実施例は、主に、ある能力識別情報の新規追加を端末からＣＮネットワーク要素に要求するプロセスを記載する。図１０に示すように、対応する要求プロセスは、以下のステップを含む。
【０２５２】
ステップ１１において、端末は、第１情報が含まれるＮＡＳメッセージを、ＲＡＮネットワーク要素を介してＣＮネットワーク要素に送信する。
【０２５３】
なお、ＣＮネットワーク要素は、アクセスモビリティ管理機能ＡＭＦ、ポリシー制御機能ＰＣＦ、ポリシー＆課金ルール機能ユニットＰＣＲＦ、ＯＡＭ、能力管理機能ネットワーク要素等のいずれかである。ＣＮネットワーク要素は、該第１情報に基づいて、端末の能力を導出する。
【０２５４】
ステップ１２において、選択可能で、ＣＮネットワーク要素は、第１情報に基づいて、ある端末能力の識別子情報を新規追加又は復元する。
【０２５５】
一実施形態では、第１情報は、第１能力識別子情報及び能力変数情報を含む。
【０２５６】
一実施形態では、第１情報は、第２能力識別子情報及び能力変数情報を含む。
【０２５７】
ステップ１３において、選択可能で、ＣＮネットワーク要素は、新規追加又は復元された能力識別子情報が含まれるＮＧ／Ｓ１メッセージをＲＡＮネットワーク要素に送信する。
【０２５８】
ステップ１４において、選択可能で、ＲＡＮネットワーク要素は、端末にＲＲＣメッセージを送信し、又はＮＡＳメッセージを転送する。選択可能で、該ＲＲＣメッセージ又はＮＡＳメッセージには、新規追加又は復元された能力識別子情報、及び、新規追加又は復元された能力識別子情報の確認情報が含まれる。
【０２５９】
図１１に示すように、本開示の実施例は、主に端末位置変更プロセスを記載する。本実施例において、ＵＩＣＣカードやＳＩＭカード等のサービスネットワークのカードを一方の機器から引き抜いて他の機器に差し込む。図１１に示すように、対応する位置変更プロセスは、以下のステップを含む。
【０２６０】
ステップ１１１において、カードを第１機器から引き抜く。第１機器（以下、単に端末第１位置と呼ぶ）は、登録解除要求メッセージのようなＮＡＳメッセージを、ＲＡＮネットワーク要素を介してＣＮネットワーク要素に送信する。選択可能で、該登録解除要求メッセージは、第１情報を含む。
【０２６１】
なお、ＣＮネットワーク要素は、アクセスモビリティ管理機能ＡＭＦ、ポリシー制御機能ＰＣＦ、ポリシー＆課金ルール機能ユニットＰＣＲＦ、ＯＡＭ、能力管理機能ネットワーク要素等のいずれかである。該第１情報は、図１の実施例の記載と同様である。
【０２６２】
選択可能で、ＣＮネットワーク要素は、受信した登録解除要求メッセージ及び／又は第１情報に基づいて、端末の能力識別子情報を端末コンテキストから削除する。
【０２６３】
ステップ１１２において、ＣＮネットワーク要素は、端末コンテキストリリースメッセージをＲＡＮネットワーク要素に送信する。
【０２６４】
ステップ１１３において、選択可能で、ＲＡＮネットワーク要素は、ＲＲＣ接続リリースメッセージを端末第１位置に送信する。
【０２６５】
図１２に示すように、本開示の実施例は、主に端末位置変更プロセスを記載する。本実施例において、ＵＩＣＣカードやＳＩＭカード等のサービスネットワークのカードを一方の機器から引き抜いて他の機器に差し込む。図１２に示すように、対応する位置変更プロセスは、以下のステップを含む。
【０２６６】
ステップ１２１において、カードを第１機器から引き抜いて且つ第２機器に差し込む。カード又は第２機器（以下、単に端末第２位置と呼ぶ）は、登録要求メッセージのようなＮＡＳメッセージを、ＲＡＮネットワーク要素を介してＣＮネットワーク要素に送信する。選択可能で、該登録要求メッセージは、第１情報を含む。
【０２６７】
なお、ＣＮネットワーク要素は、アクセスモビリティ管理機能ＡＭＦ、ポリシー制御機能ＰＣＦ、ポリシー＆課金ルール機能ユニットＰＣＲＦ、ＯＡＭ、能力管理機能ネットワーク要素等のいずれかである。該第１情報は、図１の実施例の記載と同様である。
【０２６８】
選択可能で、ＣＮネットワーク要素は、第２情報の未受信、第１情報及び登録要求メッセージを少なくとも１つに基づいて、端末の能力識別子情報を端末コンテキストから削除する。
【０２６９】
一実施形態では、端末は、端末第１位置（第１機器）によって登録済みであり、ＣＮネットワーク要素には、端末のコンテキストが既に存在する。
【０２７０】
ステップ１２２において、ＣＮネットワーク要素は、登録受付メッセージが含まれる端末コンテキスト確立メッセージをＲＡＮネットワーク要素に送信する。
【０２７１】
ステップ１２３において、ＲＡＮネットワーク要素は、登録受付メッセージが含まれるＲＲＣメッセージを端末第２位置に送信する。
【０２７２】
ステップ１２４において、ＣＮネットワーク要素は、ＲＡＮネットワーク要素に端末第１位置のコンテキストも存在すると確認すると、端末コンテキストリリースメッセージをＲＡＮネットワーク要素に送信する。
【０２７３】
ステップ１２５において、選択可能で、ＲＡＮネットワーク要素は、ＲＲＣ接続リリースメッセージを端末第１位置に送信する。
【０２７４】
図１３に示すように、本開示の実施例は、主に端末のシグナリング最適化能力変更プロセスを記載する。図１３に示すように、対応する変更プロセスは、以下のステップを含む。
【０２７５】
ステップ１３１において、端末は、登録要求メッセージ等のＮＡＳメッセージを、ＲＡＮネットワーク要素を介してＣＮネットワーク要素に送信する。選択可能で、該登録要求メッセージには、端末の能力シグナリング最適化能力の指示情報が含まれなくてもよい。
【０２７６】
なお、ＣＮネットワーク要素は、アクセスモビリティ管理機能ＡＭＦ、ポリシー制御機能ＰＣＦ、ポリシー＆課金ルール機能ユニットＰＣＲＦ、ＯＡＭ、能力管理機能ネットワーク要素等のいずれかである。
【０２７７】
選択可能で、ＣＮネットワーク要素に端末のコンテキストが存在し、且つ端末のコンテキストに端末の能力識別子情報が含まれている場合には、ＣＮネットワーク要素は、端末の能力識別子情報を削除する。
【０２７８】
ステップ１３２において、ＣＮネットワーク要素は、端末コンテキスト確立メッセージをＲＡＮネットワーク要素に送信する。該メッセージには、登録受付メッセージが含まれる。
【０２７９】
ステップ１３３において、ＲＡＮネットワーク要素は、ＲＲＣメッセージを端末に送信する。このＲＲＣメッセージには、登録受付メッセージが含まれる。
【０２８０】
上記実施例は、本開示の能力制御方法を説明した。以下、実施例及び図面を参照しながら本開示の端末及びネットワーク側のネットワーク要素を説明する。
【０２８１】
図１４に示すように、本開示の実施例は、更に通信機器１４を提供する。前記通信機器は、端末及びネットワーク側機器の一方である。
通信機器１４は、
所定の条件が満たされたか否かを決定する決定モジュール１４１と、
ここで、前記所定の条件は、端末能力変更、端末位置変更、端末内のカード削除、端末内のカード新規追加、及び位置変更後の端末による能力シグナリング最適化の非対応の少なくとも１つを含み、
前記所定の条件が満たされると、端末能力の第１関連操作を実行する第１実行モジュール１４２と、を含む。
【０２８２】
本開示の実施例において、選択可能で、前記第１実行モジュール１４２は、具体的に、端末能力識別子情報の更新、及び第１情報の送信を行う。
【０２８３】
ここで、前記第１情報は、端末能力変更情報、端末位置変更情報、端末能力情報、端末能力識別子情報の指示情報、及び端末能力識別子情報の操作情報の少なくとも１つを含む。
【０２８４】
なお、該端末能力識別子情報の更新プロセスは、図１の実施例の記載と同様である。該端末能力識別子情報は、図１の実施例に記載したように、例えば端末機種情報、能力指示補助情報、能力識別子適用範囲情報、及び端末能力識別子の少なくとも１つを含む。
【０２８５】
選択可能で、該端末能力識別子情報の指示情報は、図１の実施例の記載と同様である。該端末能力識別子情報の操作情報は、図１の実施例の記載と同様である。該端末能力変更情報は、図１の実施例の記載と同様である。該端末位置変更情報は、図１の実施例の記載と同様である。
【０２８６】
なお、本開示の実施例において、端末能力の第１関連操作によって、端末能力更新の際に、端末能力の報告を最適化する効果を達成することができるため、能力報告シグナリングを節約すると共に、同一端末が異なる条件で異なる端末能力に対応するニーズを満たすこともできる。
【０２８７】
図１５に示すように、本開示の実施例は、更に通信機器１５を提供する。前記通信機器は、端末及びネットワーク側機器の一方である。
通信機器は、
能力変数を取得する要求情報を受信する受信モジュール１５１と、
前記能力変数を取得する要求情報に基づいて、能力変数情報を送信する送信モジュール１５２と、を含む。
【０２８８】
なお、該能力変数を取得する要求情報は、図１の実施例の記載と同様である。該能力変数情報は、図１の実施例の記載と同様である。
【０２８９】
なお、本開示の実施例において、能力変数情報を取得することによって、端末能力更新の際に、端末能力の報告を最適化する効果を達成することができるため、能力報告シグナリングを節約すると共に、同一端末が異なる条件で異なる端末能力に対応するニーズを満たすこともできる。
【０２９０】
図１６に示すように、更に本開示の実施例による、ネットワーク側のネットワーク要素１６は、
第１情報を取得する第１取得モジュール１６１と、
ここで、前記第１情報は、端末能力変更情報、端末位置変更情報、端末能力情報、端末能力識別子情報の指示情報、及び端末能力識別子情報の操作情報の少なくとも１つを含み、
前記第１情報に基づいて、端末能力の第２関連操作を実行する第２実行モジュール１６２と、を含む。
【０２９１】
なお、該端末能力識別子情報は、図１の実施例に記載したように、例えば端末機種情報、能力指示補助情報、能力識別子適用範囲情報、及び端末能力識別子の少なくとも１つを含む。
【０２９２】
選択可能で、該端末能力識別子情報の指示情報は、図１の実施例の記載と同様である。該端末能力識別子情報の操作情報は、図１の実施例の記載と同様である。該端末能力変更情報は、図１の実施例の記載と同様である。該端末位置変更情報は、図１の実施例の記載と同様である。
【０２９３】
選択可能で、該第２実行モジュール１６２によって実行する端末能力の第２関連操作は、図３の実施例の記載と同様である。
【０２９４】
なお、本開示の実施例において、端末能力の第２関連操作によって、端末能力更新の際に、端末能力の報告を最適化する効果を達成することができるため、能力報告シグナリングを節約すると共に、同一端末が異なる条件で異なる端末能力に対応するニーズを満たすこともできる。
【０２９５】
図１７に示すように、更に本開示の実施例による、ネットワーク側のネットワーク要素１７は、
第２情報を取得する第２取得モジュール１７１と、
ここで、前記第２情報は、端末による能力シグナリング最適化の非対応の指示情報、登録解除要求情報、及び登録要求情報の少なくとも１つを含み、
前記第２情報に基づいて、端末能力の第３関連操作を実行する第３実行モジュール１７２と、を含む。
【０２９６】
選択可能で、該第２取得モジュール１７１は、具体的に、端末位置変更、及び能力シグナリング最適化の指示情報の未受信の少なくとも１つに基づいて、前記端末による能力シグナリング最適化の非対応の指示情報を取得する。
【０２９７】
なお、該第３実行モジュール１７２によって実行する端末能力の第３関連操作は、図４の実施例の記載と同様である。
【０２９８】
また、本開示の実施例は、プロセッサと、メモリと、前記メモリに格納されて前記プロセッサで実行可能なコンピュータプログラムとを含む端末を更に提供し、ここで、前記コンピュータプログラムが前記プロセッサによって実行されると、上記端末に応用される能力制御方法の実施例の各プロセスが実現され、且つ同一の技術効果を奏することができるので、重複を避けるために、ここでは繰り返して述べない。
【０２９９】
具体的には、図１８は、本開示の各実施例を実現する端末のハードウェア構造図である。図１８に示すように、該端末１８００は、ラジオ周波数ユニット１８０１と、ネットワークモジュール１８０２と、音声出力ユニット１８０３と、入力ユニット１８０４と、センサ１８０５と、表示ユニット１８０６と、ユーザ入力ユニット１８０７と、インタフェースユニット１８０８と、メモリ１８０９と、プロセッサ１８１０と、電源１８１１などの構成要素を含むが、これらに限定されない。図１８に示される端末の構造は、端末を限定するものではなく、端末は、図示されるよりも多い又は少ない構成要素、又は特定の構成要素の組み合わせ、又は異なる構成要素の配置を含むことができることを、当業者は理解可能である。本開示の一部実施例において、端末は、携帯電話、タブレットパソコン、ノートパソコン、パームトップパソコン、車載端末、ウェアラブルデバイス及び歩数計などを含むが、それらに限定されない。
【０３００】
ここで、プロセッサ１８１０は、
所定の条件が満たされたか否かを決定し、
ここで、前記所定の条件は、端末能力変更、端末位置変更、端末内のカード削除、端末内のカード新規追加、及び位置変更後の端末による能力シグナリング最適化の非対応の少なくとも１つを含み、
前記所定の条件が満たされると、端末能力の第１関連操作を実行する。
又は、インタフェースユニット１８０８は、能力変数を取得する要求情報を受信し、前記能力変数を取得する要求情報に基づいて、能力変数情報を送信する。
【０３０１】
本開示の実施例において、端末能力更新の際に、端末能力の報告を最適化する効果を達成することができるため、能力報告シグナリングを節約すると共に、同一端末が異なる条件で異なる端末能力に対応するニーズを満たすこともできる。
【０３０２】
なお、本開示の実施例において、ラジオ周波数ユニット１８０１は、情報の送受信又は通話中で信号の送受信に用いられ、具体的に、基地局から下りデータを受信した後、プロセッサ１８１０による処理に供し、また、上りデータを基地局に送信する。一般に、ラジオ周波数ユニット１８０１は、アンテナ、少なくとも１つの増幅器、トランシーバ、結合器、低雑音増幅器、デュプレクサなどを含むが、それらに限定されない。また、ラジオ周波数ユニット１８０１は、無線通信システムを介してネットワークや他の機器と通信を行うこともできる。
【０３０３】
端末は、ネットワークモジュール１８０２を介して、電子メールの送受信、ウェブページの閲覧、ストリーミングメディアへのアクセスを支援するなど、無線ブロードバンドインターネットアクセスをユーザに提供する。
【０３０４】
音声出力ユニット１８０３は、ラジオ周波数ユニット１８０１やネットワークモジュール１８０２が受信した音声データや、メモリ１８０９に記憶された音声データを音声信号に変換して音声として出力することができる。また、音声出力ユニット１８０３は、端末１８００が実行する特定の機能に関する音声（例えば、呼出信号着信音、メッセージ着信音等）を出力してもよい。音声出力ユニット１８０３は、スピーカ、ブザー及びレシーバなどを含む。
【０３０５】
入力ユニット１８０４は、音声や映像の信号を受信することに用いられる。入力ユニット１８０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）１８０４１と、マイク１８０４２とを含む。処理された画像フレームは、表示ユニット１８０６上に表示される。グラフィックスプロセッサ１８０４１で処理された画像フレームは、メモリ１８０９（又は他の記憶媒体）に記憶されるか、又はラジオ周波数ユニット１８０１又はネットワークモジュール１８０２を介して送信される。マイク１８０４２は、音声を受信し、音声データに加工することができる。処理された音声データは、電話通話モードの場合、ラジオ周波数ユニット１８０１を介して移動体通信基地局に送信可能な形式に変換して出力することができる。
【０３０６】
端末１８００は、光センサ、モーションセンサ及び他のセンサのような少なくとも１つのセンサ１８０５を更に含む。具体的には、光センサは、周辺光センサ及び近接センサを含む。周辺光センサは、周辺光の明暗に応じて表示パネル１８０６１の輝度を調節し、近接センサは、端末１８００が耳に移動したときに表示パネル１８０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（例えば、歩数計、ストローク）などに用いることができる。センサ１８０５は、指紋センサ、圧力センサ、虹彩センサ、分子センサ、ジャイロスコープ、気圧計、湿度計、温度計、赤外線センサなどを更に含むことができるが、ここでは枚挙しない。
【０３０７】
表示ユニット１８０６は、ユーザが入力した情報やユーザに提供した情報を表示するために用いられる。表示ユニット１８０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル１８０６１を含んでもよい。
【０３０８】
ユーザ入力ユニット１８０７は、数字や文字情報の入力を受け付け、ユーザによる端末の構成や機能制御に関するキー信号の入力を行うことに用いられる。具体的に、ユーザ入力ユニット１８０７は、タッチパネル１８０７１と、その他の入力機器１８０７２とを含む。タッチパネル１８０７１は、タッチスクリーンとも呼ばれ、その上又は付近でのユーザのタッチ操作を取得可能である（例えばユーザが指やスタイラスなどの任意の適切な物体や付属部材を用いたタッチパネル１８０７１の上又はタッチパネル１８０７１の付近での操作）。タッチパネル１８０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１８１０に送り、プロセッサ１８１０からの命令を受信して実行する。なお、タッチパネル１８０７１は、抵抗膜式、静電容量式、赤外線、表面弾性波など、種々の方式を用いて実現することができる。ユーザ入力ユニット１８０７は、タッチパネル１８０７１の他に、他の入力機器１８０７２を含んでもよい。具体的に、他の入力機器１８０７２は、物理的なキーボード、機能キー（例えば、音量調節キー、スイッチキーなど）、トラックボール、マウス、レバーを含むが、ここでは枚挙しない。
【０３０９】
更に、タッチパネル１８０７１は、表示パネル１８０６１に重ねられる。タッチパネル１８０７１は、その上又はその近くでタッチ操作を検出すると、プロセッサ１８１０に送信して、タッチイベントのタイプを決定する。次いで、プロセッサ１８１０は、タッチイベントのタイプに応じて、対応する視覚的出力を表示パネル１８０６１に提供する。図１８では、タッチパネル１８０７１と表示パネル１８０６１は、独立した２つの部品として端末の入出力機能を実現するが、実施例によっては、タッチパネル１８０７１と表示パネル１８０６１を一体化して端末の入出力機能を実現することもでき、具体的にここでは限定しない。
【０３１０】
インタフェースユニット１８０８は、外部装置と端末１８００とを接続するためのインタフェースである。例えば、外部装置は、有線又は無線ヘッドホンポート、外部電源（又はバッテリ充電器）ポート、有線又は無線データポート、メモリカードポート、認識モジュールを有する装置を接続するためのポート、オーディオ入出力（Ｉ／Ｏ）ポート、ビデオＩ／Ｏポート、ヘッドホンポート等を含む。インターフェイスユニット１８０８は、外部装置から入力（例えば、データ情報、電力など）を受信し、受信した入力を端末１８００内の１つ以上の要素に伝送するために使用されてもよく、又は端末１８００と外部装置との間でデータを伝送するために使用されてもよい。
【０３１１】
メモリ１８０９は、ソフトウェアプログラム及び様々なデータを格納するために使用される。メモリ１８０９は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ１８０９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０３１２】
プロセッサ１８１０は、端末の制御センタであり、各種インタフェースや回線を用いて端末全体の各部を接続し、メモリ１８０９に格納されたソフトウェアプログラム及び／又はモジュールを実行、メモリ１８０９に格納されたデータを呼び出して端末の各種機能及び処理データを実行し、端末全体の監視を行う。プロセッサ１８１０は、１つ以上の処理ユニットを含んでもよい。選択可能で、プロセッサ１８１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ１８１０に統合されなくてもよいことが理解される。
【０３１３】
端末１８００は、各構成要素に電力を供給するためのバッテリのような電源１８１１を更に含んでもよい。選択可能に、電源１８１１は、電源管理システムを介してプロセッサ１８１０に論理的に接続されてもよく、電源管理システムを介して充電、放電、及び消費電力管理などを管理する機能を実現してもよい。
【０３１４】
また、端末１８００は、図示しない機能モジュールを更に含んでもよく、ここでの説明は省略する。
【０３１５】
本開示の実施例は、プロセッサと、メモリと、前記メモリに格納されて前記プロセッサで動作可能なコンピュータプログラムを含むネットワーク側のネットワーク要素を更に提供する。ここで、前記コンピュータプログラムが前記プロセッサによって実行されると、上記ネットワーク側のネットワーク要素に応用される能力制御方法の実施例の各プロセスが実現され、且つ同じ技術効果を奏することもできるので、重複を避けるために、ここでは繰り返して記載しない。
【０３１６】
具体的には、図１９は、本開示の各実施例を実現するネットワーク側のネットワーク要素のハードウェア構造図である。前記ネットワーク側のネットワーク要素１９０は、バス１９１と、トランシーバ１９２と、アンテナ１９３と、バスインタフェース１９４と、プロセッサ１９５と、メモリ１９６とを含むが、それらに限られない。
【０３１７】
本開示の実施例において、前記ネットワーク側のネットワーク要素１９０は、メモリ１９６に格納されてプロセッサ１９５で動作可能なコンピュータプログラムを更に含む。
コンピュータプログラムがプロセッサ１９５によって実行されると、
第１情報を取得するステップと、
ここで、前記第１情報は、端末能力変更情報、端末位置変更情報、端末能力情報、端末能力識別子情報の指示情報、及び端末能力識別子情報の操作情報の少なくとも１つを含み、
前記第１情報に基づいて、端末能力の第２関連操作を実行するステップとが実現される。
【０３１８】
又は、コンピュータプログラムがプロセッサ１９５によって実行されると、更に、
第２情報を取得するステップと、
ここで、前記第２情報は、端末による能力シグナリング最適化の非対応の指示情報、登録解除要求情報、及び登録要求情報の少なくとも１つを含み、
前記第２情報に基づいて、端末能力の第３関連操作を実行するステップと、が実現される。
【０３１９】
トランシーバ１９２は、プロセッサ１９５による制御でデータを送受信する。
【０３２０】
図１９において、バスアーキテクチャ（バス１９１で示す）は、任意数の相互接続するバスとブリッジを含む。バス１９１は、プロセッサ１９５をはじめとする１つ又は複数のプロセッサとメモリ１９６をはじめとするメモリの各種類の回路が接続したものである。バス１９１は、周辺イクイップメント、レギュレーター、電力管理回路などの各種類のほかの回路を接続したものであってもよい。これらは、いずれも本分野の公知事項であり、本文においてさらなる記載をしない。バスインタフェース１９４により、バス１９１とトランシーバ１９２との間でインタフェースが提供される。トランシーバ１９２は、１つの部品であってもよく、複数の受信機及び送信機など、複数の部品であってもよく、伝送媒体でほかの各種類の装置と通信するユニットとして提供される。プロセッサ１９５に処理されたデータは、アンテナ１９３を介して無線媒体で伝送される。更に、アンテナ１９３８０２は、データを受信し、データをプロセッサ１９５に伝送する。
【０３２１】
プロセッサ１９５は、バス１９１と通常の処理を管理し、更に計時、周囲インタフェース、電圧調節、電源管理及びほかの制御機能など、様々な機能も提供する。メモリ１９６は、プロセッサ１９５による操作実行に用いられるデータを記憶ことに用いられる。
【０３２２】
選択可能で、プロセッサ１９５は、ＣＰＵ、ＡＳＩＣ、ＦＰＧＡ又はＣＰＬＤである。
【０３２３】
本開示の実施例は、コンピュータプログラムが格納されているコンピュータ読み取り可能な記憶媒体を更に提供し、該コンピュータプログラムがプロセッサによって実行されると、上記能力制御方法の実施例の各プロセスが実現され、且つ同じ技術効果を奏することもできるので、重複を避けるために、ここでは繰り返して記載しない。ここで、該コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【０３２４】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「・・・を１つ含む」の表現によって限定される要素について、当該要素を含むプロセス、方法、モノ又は装置に他の同一要素の存在を除外しない。
【０３２５】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本発明の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指示を含む。
【０３２６】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021532680.tif 000003
【図２】
2021532680.tif 000004
【図３】
2021532680.tif 000005
【図４】
2021532680.tif 000006
【図５】
2021532680.tif 000007
【図６】
2021532680.tif 000008
【図７】
2021532680.tif 000009
【図８】
2021532680.tif 000010
【図９】
2021532680.tif 000011
【図１０】
2021532680.tif 000012
【図１１】
2021532680.tif 000013
【図１２】
2021532680.tif 000014
【図１３】
2021532680.tif 000015
【図１４】
2021532680.tif 000016
【図１５】
2021532680.tif 000017
【図１６】
2021532680.tif 000018
【図１７】
2021532680.tif 000019
【図１８】
2021532680.tif 000020
【図１９】
2021532680.tif 000021
【手続補正書】
【提出日】令和3年3月17日(2021.3.17)
【手続補正１】
【補正対象書類名】明細書
【補正対象項目名】００４４
【補正方法】変更
【補正の内容】
【００４４】
本開示の実施例において、「カード」は、ＵＩＣＣ、ＳＩＭ、ｅＳＩＭ、ｅＵＩＣＣのいずれかであり、これらに限定されない。カードは、物理的カードであってもよい。更に、第Ｎカードは、サービスネットワークのカードを第Ｎカードスロットに装着することを示してもよい。メインカードは、サービスネットワークのカードをメインカードスロットに装着することを示し、サブカードは、サービスネットワークのカードをサブカードスロットに装着することを示す。カード位置情報は、カードスロット情報とも呼ぶ。
【手続補正２】
【補正対象書類名】明細書
【補正対象項目名】０１１２
【補正方法】変更
【補正の内容】
【０１１２】
一実施形態では、例えば、端末の能力識別子情報は、基本能力識別子１と、追加能力変数の能力識別子Ａ，Ｂ及びＣとから構成され、ここで、端末ＵＥ１の能力識別子が１及びＡである場合、ＵＥ１が１及びＡからマッピングする能力をサポートすることを示し、端末ＵＥ２の能力識別子が１及びＢである場合、ＵＥ２が１及びＢからマッピングする能力をサポートすることを示し、このように類推する。その後、ＵＥ１がＡからマッピングする能力を終了する場合、ＵＥ１は、Ａからマッピングする能力を終了したことをネットワークに通知する。ネットワークは、能力識別子Ａを削除し、能力識別子１を保留し、ＵＥ１では能力識別子１からマッピングする基本能力のみが残ることを示す。その後、ＵＥ１は、Ａからマッピングする能力を再びオンにすると、ネットワークに通知し、ネットワークは、能力識別子Ａを新規に追加し又は復元する。
【手続補正３】
【補正対象書類名】明細書
【補正対象項目名】０１７４
【補正方法】変更
【補正の内容】
【０１７４】
一実施形態では、例えば、端末の能力識別子情報は、基本能力識別子１と、追加能力変数の能力識別子Ａ，Ｂ及びＣとから構成され、ここで、端末ＵＥ１の能力識別子が１及びＡである場合、ＵＥ１が１及びＡからマッピングする能力をサポートすることを示し、端末ＵＥ２の能力識別子が１及びＢである場合、ＵＥ２が１及びＢからマッピングする能力をサポートすることを示し、このように類推する。その後、ＵＥ１がＡからマッピングする能力を終了する場合、ＵＥ１は、Ａからマッピングする能力を終了したことをネットワークに通知する。ネットワークは、能力識別子Ａを削除し、能力識別子１を一時停止し、ＵＥ１では能力識別子１からマッピングする基本能力のみが残ることを示す。その後、ＵＥ１は、Ａからマッピングする能力を再びオンにすると、ネットワークに通知し、ネットワークは、能力識別子Ａを新規に追加し又は復元する。
【手続補正４】
【補正対象書類名】明細書
【補正対象項目名】０１８８
【補正方法】変更
【補正の内容】
【０１８８】
本開示の実施例において、選択可能で、ステップ４０２で端末能力の第３関連操作を実行することは、端末の能力シグナリング最適化能力の更新、端末能力識別子情報の削除又は一時停止、前記第２情報の第４目標側（選択可能で、該第４目標側がＲＡＮネットワーク要素、ＣＮネットワーク要素などである）への送信、及び端末能力を取得する要求情報の第５目標側（選択可能で、該第５目標側が端末などである）への送信の少なくとも１つを含む。
【手続補正５】
【補正対象書類名】特許請求の範囲
【補正対象項目名】全文
【補正方法】変更
【補正の内容】
【特許請求の範囲】
【請求項１】
通信機器に応用される能力制御方法であって、
所定の条件が満たされたか否かを決定することと、
前記所定の条件が満たされると、端末能力の第１関連操作を実行することと、を含み、
前記所定の条件は、端末能力変更、端末位置変更、端末内のカード削除、端末内のカード新規追加、及び位置変更後の端末による能力シグナリング最適化の非対応の少なくとも１つを含む、
能力制御方法。
【請求項２】
前記の端末能力の第１関連操作を実行することは、
端末能力識別子に対する操作、及び第１情報の送信の少なくとも１つを含み、
前記第１情報は、端末能力変更情報、端末位置変更情報、端末能力情報、端末能力識別子の指示情報、及び端末能力識別子の操作情報の少なくとも１つを含み、
前記の端末能力識別子に対する操作は、
前記端末能力識別子を更新すること、前記端末能力識別子を削除すること、及び前記端末能力識別子を無効に設定することの少なくとも１つを含む、請求項１に記載の能力制御方法。
【請求項３】
前記の前記端末能力識別子を更新することは、
第１能力識別子を第２能力識別子に更新することを含み、
前記第１能力識別子は、更新前端末能力からマッピングする能力識別子であり、前記第２能力識別子は、更新後端末能力からマッピングする能力識別子である、請求項２に記載の能力制御方法。
【請求項４】
前記端末能力識別子の指示情報は、
端末能力識別子が失効したかの指示情報、端末能力識別子を削除するかの指示情報、端末能力識別子を一時停止するかの指示情報、端末能力識別子を復元するかの指示情報、端末能力識別子の更新を要求するかの指示情報、及び端末能力識別子の割り当てを要求するかの指示情報の少なくとも１つを含む、請求項２に記載の能力制御方法。
【請求項５】
前記端末能力識別子の操作情報は、
終了した能力識別子、失効した能力識別子、削除した能力識別子、一時停止した能力識別子、新規追加した能力識別子、及び復元した能力識別子の少なくとも１つを含む、請求項２に記載の能力制御方法。
【請求項６】
前記端末位置変更情報は、
端末位置が変更するか否かの指示情報と、第１端末の識別子と、第２端末の識別子とを含む、請求項２に記載の能力制御方法。
【請求項７】
前記端末能力変更情報は、
能力変更指示情報、能力変更種別情報、能力変数情報、第１能力識別子、及び第２能力識別子の少なくとも１つを含む、請求項２に記載の能力制御方法。
【請求項８】
前記能力変数情報は、
能力変数の能力識別子、変更が発生する能力の能力情報、新規追加能力の能力情報、終了能力の能力情報、変更前能力の能力識別子、変更後能力の能力識別子、新規追加能力の能力識別子、及び終了能力の能力識別子の少なくとも１つを含む、請求項７に記載の能力制御方法。
【請求項９】
ネットワーク側のネットワーク要素に応用される能力制御方法であって、
第１情報を取得することと、
前記第１情報に基づいて、端末能力の第２関連操作を実行することと、を含み、
前記第１情報は、端末能力変更情報、端末位置変更情報、端末能力情報、端末能力識別子の指示情報、及び端末能力識別子の操作情報の少なくとも１つを含む、能力制御方法。
【請求項１０】
前記端末能力識別子の指示情報は、
端末能力識別子が失効したかの指示情報、端末能力識別子を削除するかの指示情報、端末能力識別子を一時停止するかの指示情報、端末能力識別子を復元するかの指示情報、端末能力識別子の更新を要求するかの指示情報、及び端末能力識別子の割り当てを要求するかの指示情報の少なくとも１つを含む、請求項９に記載の能力制御方法。
【請求項１１】
前記端末能力変更情報は、
能力変更指示情報、能力変更種別情報、能力変数情報、第１能力識別子、及び第２能力識別子の少なくとも１つを含み、
前記能力変数情報は、
能力変数の能力識別子、変更が発生する能力情報、新規追加の能力情報、終了の能力情報、変更前能力の能力識別子、変更後能力の能力識別子、新規追加能力の能力識別子、及び終了能力の能力識別子の少なくとも１つを含む、請求項９に記載の能力制御方法。
【請求項１２】
前記の端末能力の第２関連操作を実行することは、
端末能力識別子の更新、端末能力識別子の削除又は一時停止、新規追加の端末能力識別子の保存、端末能力識別子の復元、更新済みの端末能力に対する能力識別子の割り当て、能力変数に対する能力識別子の割り当て、前記第１情報の保存、第１目標側への前記第１情報の送信、端末能力の導出又はマッピング、端末能力の更新、端末コンテキストの第１能力識別子から第２能力識別子への更新、端末能力を取得する要求情報の第２目標側への送信、及び、端末変数を取得する要求情報の第３目標側への送信の少なくとも１つを含む、請求項９に記載の能力制御方法。
【請求項１３】
前記の端末能力識別子の更新は、
端末能力識別子の指示情報、及び端末能力識別子の操作情報の少なくとも１つに基づいて、前記端末能力識別子を更新することを含み、
及び／又は、
前記の端末能力識別子の削除又は一時停止は、
端末能力識別子失効の指示情報、端末能力識別子削除の指示情報、失効した能力識別子、削除された能力識別子、端末位置変更情報、及び端末能力変更情報の少なくとも１つに基づいて、前記端末能力識別子を削除又は一時停止することを含み、
及び／又は、
前記の端末能力識別子の復元は、
端末能力識別子復元の指示情報、端末位置変更情報、及び端末能力変更情報の少なくとも１つに基づいて、端末の能力識別子を復元することを含み、
及び／又は、
前記の端末能力の導出又はマッピングは、
第２能力識別子、端末能力識別子の指示情報、及び端末能力識別子の操作情報の少なくとも１つに基づいて、前記端末能力を導出又はマッピングすることを含み、
及び／又は、
前記の端末能力の更新は、
能力変数情報、及び第２能力識別子からマッピングする端末能力の少なくとも１つに基づいて、前記端末の能力を更新することを含む、請求項１２に記載の能力制御方法。
【請求項１４】
所定の条件が満たされたか否かを決定する決定モジュールと、
前記所定の条件が満たされると、端末能力の第１関連操作を実行する第１実行モジュールと、を含み、
ここで、前記所定の条件は、端末能力変更、端末位置変更、端末内のカード削除、端末内のカード新規追加、及び位置変更後の端末による能力シグナリング最適化の非対応の少なくとも１つを含む、通信機器。
【請求項１５】
第１情報を取得する第１取得モジュールと、
前記第１情報に基づいて、端末能力の第２関連操作を実行する第２実行モジュールと、を含み、
前記第１情報は、端末能力変更情報、端末位置変更情報、端末能力情報、端末能力識別子の指示情報、及び端末能力識別子の操作情報の少なくとも１つを含む、ネットワーク側のネットワーク要素。
【国際調査報告】
2021532680.tif 000022
2021532680.tif 000023
2021532680.tif 000024
2021532680.tif 000025